(57)【要約】【課題】ユーザが希望する外部記憶媒体と、その外部記憶媒体に対応する装着部とを１つの表示画面で表示することにより、外部記憶媒体と装着部との対応関係を一目で確認することができ、迅速かつ確実に外部記憶媒体の装着ができる情報処理装置および情報処理プログラムを提供すること。【解決手段】液晶表示部６８は、第１〜第４のメモリカード２０〜２３の種類情報ＫＤ１〜ＫＤ４と第１〜第４の挿入口３０〜３３の位置情報ＰＤ１〜ＰＤ４とを、第１および第２の表示領域６８Ａ、６８Ｂにそれぞれ表示する。ユーザがタッチパネル５を操作して第２のメモリカード２１を選択したとき、この選択されたメモリカード２１の種類情報ＫＤ２が点滅し、メモリカード２１と対応関係にある第２の挿入口３１の位置情報ＰＤ２が点滅する。【選択図】図５
2009134512.tif 000002
【特許請求の範囲】
【請求項１】
複数の外部記憶媒体が着脱可能に装着される複数の装着部と、
前記外部記憶媒体の種類を表す種類情報を表示する第１の表示領域と、前記装着部の配置位置を表す位置情報を表示する第２の表示領域とを１つの表示画面上に形成することが可能な表示部と、
前記外部記憶媒体の種類と前記装着部の配置位置との間の対応関係を記憶する対応記憶部と、
前記複数の外部記憶媒体の中から所望の外部記憶媒体を選択するために操作可能な媒体選択部と、
前記媒体選択部により所望の外部記憶媒体が選択されたときに前記第１の表示領域に前記選択された外部記憶媒体の種類情報を表示させ、前記対応記憶部に記憶された対応関係に基づいて前記選択された外部記憶媒体の種類に対応する前記装着部の配置位置を特定して、前記第２の表示領域に前記特定された装着部の位置情報を表示させる表示制御部とを備える情報処理装置。
【請求項２】
前記表示制御部は、前記媒体選択部により所望の外部記憶媒体が選択される前には、前記複数の外部記憶媒体の複数の種類情報を前記第１の表示領域に表示させ、前記媒体選択部により所望の外部記憶媒体が選択されたときに、前記選択された外部記憶媒体の種類情報を、他の外部記憶媒体の種類情報と異なる表示状態で前記第１の表示領域に表示させる請求項１に記載の情報処理装置。
【請求項３】
前記表示制御部は、前記媒体選択部により所望の外部記憶媒体が選択される前には、前記複数の装着部の複数の位置情報を前記第２の表示領域に表示させ、前記媒体選択部により所望の外部記憶媒体が選択されたときに、前記特定された装着部の位置情報を、他の装着部の位置情報と異なる表示状態で前記第２の表示領域に表示させる請求項１又は２に記載の情報処理装置。
【請求項４】
前記表示制御部は、前記媒体選択部により所望の外部記憶媒体が選択される前には、前記複数の外部記憶媒体の複数の種類情報を前記第１の表示領域に連続的に表示させ、前記媒体選択部により所望の外部記憶媒体が選択されたときに、前記選択された外部記憶媒体の種類情報のみを前記第１の表示領域に断続的に表示させる請求項２に記載の情報処理装置。
【請求項５】
前記表示制御部は、前記媒体選択部により所望の外部記憶媒体が選択される前には、前記複数の装着部の複数の位置情報を前記第２の表示領域に連続的に表示させ、前記媒体選択部により所望の外部記憶媒体が選択されたときに、前記特定された装着部の位置情報のみを前記第２の表示領域に断続的に表示させる請求項３に記載の情報処理装置。
【請求項６】
前記種類情報は、前記外部記憶媒体の種類名を表す名称情報および前記外部記憶媒体の形状を表す形象情報の少なくとも１つを含む情報である請求項１乃至５のいずれかに記載の情報処理装置。
【請求項７】
前記位置情報は、前記装着部の形状と配置位置とを表す情報である請求項１乃至６のいずれかに記載の情報処理装置。
【請求項８】
前記対応記憶部は、前記外部記憶媒体の各種類に関して前記装着部の配置位置との対応関係を少なくとも１つ記憶する請求項１に記載の情報処理装置。
【請求項９】
前記各外部記憶媒体が前記各装着部に装着されたか否かを検出する検出部を備え、
前記表示制御部は、前記検出部が前記外部記憶媒体の前記装着部への装着を検出したときに、検出後に表示される外部記憶媒体の種類情報および装着部の位置情報を、検出前に表示される外部記憶媒体の種類情報および装着部の位置情報と異なる表示状態で前記第１および第２の表示領域に表示させる請求項１に記載の情報処理装置。
【請求項１０】
前記表示制御部は、前記検出部が前記外部記憶媒体の前記装着部への装着を検出したときに、検出後に表示される外部記憶媒体の種類情報および装着部の位置情報を、検出前に表示される外部記憶媒体の種類情報および装着部の位置情報と異なる色で前記第１および第２の表示領域に表示させる請求項９に記載の情報処理装置。
【請求項１１】
前記表示制御部は、前記検出後に表示される外部記憶媒体の種類情報の色と、その外部記憶媒体と対応関係にあり前記検出後に表示される装着部の位置情報の色とを、同じ色にして前記第１および第２の表示領域に表示させる請求項９又は１０に記載の情報処理装置。
【請求項１２】
前記表示制御部は、前記検出後に表示される外部記憶媒体の種類情報の色を、前記各外部記憶媒体ごとに異ならせて前記第１の表示領域に表示させ、前記検出後に表示される装着部の位置情報の色を、前記各装着部ごとに異ならせて前記第２の表示領域に表示させる請求項９乃至１１のいずれかに記載の情報処理装置。
【請求項１３】
前記第２の表示領域は、装置フレームの外観とその装置フレーム上に配置された前記複数の装着部の配置場所とを表示する外観表示状態と、前記複数の装着部の配置場所を拡大して表示する拡大表示状態とのいずれかに変更可能である請求項１に記載の情報処理装置。
【請求項１４】
前記表示制御部は、前記媒体選択部により所望の外部記憶媒体が選択される前には、前記第２の表示領域を前記外観表示状態に設定し、前記媒体選択部により所望の外部記憶媒体が選択されたときに、前記第２の表示領域を前記外観表示状態から前記拡大表示状態に切り換える請求項１３に記載の情報処理装置。
【請求項１５】
前記媒体選択部により選択された外部記憶媒体の種類を一時記憶する種類記憶部と、
前記選択された外部記憶媒体が前記装着部に装着されたか否かを検出する検出部と、
前記検出部が前記選択された外部記憶媒体の装着部への装着を検出する前に、前記種類記憶部に記憶された種類と同じ種類の外部記憶媒体が前記媒体選択部により選択されたか否か判別する第１の種類選択判別部と、
前記種類選択判別部により同じ種類の外部記憶媒体が選択されたと判別されたとき、エラー警告を行う報知部とを備える請求項１に記載の情報処理装置。
【請求項１６】
前記装着部に装着された前記外部記憶媒体の種類を検出する検出部と、
前記検出部により検出された外部記憶媒体の種類と同じ種類の外部記憶媒体が前記媒体選択部により選択されたか否か判別する第２の種類選択判別部と、
前記種類選択判別部により同じ種類の外部記憶媒体が選択されたと判別されたとき、エラー警告を行う報知部とを備える請求項１又は１５に記載の情報処理装置。
【請求項１７】
前記複数の装着部の中から所望の装着部を選択するために操作可能な装着選択部を備え、
前記表示制御部は、前記装着選択部により所望の装着部が選択されたときに、前記第２の表示領域に前記選択された装着部の位置情報を表示させ、前記対応記憶部に記憶された対応関係に基づいて前記選択された装着部の配置位置に対応する前記外部記憶媒体の種類を特定して、前記第１の表示領域に前記特定された外部記憶媒体の種類情報を表示させる請求項１に記載の情報処理装置。
【請求項１８】
前記装着選択部により選択された装着部を一時記憶する装着記憶部と、
前記外部記憶媒体が前記選択された装着部に装着されたか否かを検出する検出部と、
前記検出部が前記選択された装着部への外部記憶媒体の装着を検出する前に、前記装着記憶部に記憶された装着部と同じ装着部が前記装着選択部により選択されたか否か判別する第１の装着選択判別部と、
前記装着選択判別部により同じ装着部が選択されたと判別されたとき、エラー警告を行う報知部とを備える請求項１７に記載の情報処理装置。
【請求項１９】
前記外部記憶媒体が装着された前記装着部を検出する検出部と、
前記検出部により検出された装着部と同じ装着部が前記装着選択部により選択されたか否か判別する第２の装着選択判別部と、
前記装着選択判別部により同じ装着部が選択されたと判別されたとき、エラー警告を行う報知部とを備える請求項１７又は１８に記載の情報処理装置。
【請求項２０】
複数の外部記憶媒体が着脱可能に装着される複数の装着部と、
前記外部記憶媒体の種類を表す種類情報を表示する第１の表示領域と、前記装着部の配置位置を表す位置情報を表示する第２の表示領域とを１つの表示画面上に形成することが可能な表示部と、
前記外部記憶媒体の種類と前記装着部の配置位置との間の対応関係を記憶する対応記憶部と、
前記複数の外部記憶媒体の中から所望の外部記憶媒体を選択するために操作可能な媒体選択部と、
前記媒体選択部による前記外部記憶媒体の選択を可能にする媒体選択モードと、その媒体選択モードを解除して前記外部記憶媒体に記憶された情報を処理する情報処理モードとのいずれかを設定するモード設定部と、
前記媒体選択モードにおいて前記媒体選択部により所望の外部記憶媒体が選択されたときに前記第１の表示領域に前記選択された外部記憶媒体の種類情報を表示させ、前記対応記憶部に記憶された対応関係に基づいて前記選択された外部記憶媒体の種類に対応する前記装着部の配置位置を特定して、前記第２の表示領域に前記特定された装着部の位置情報を表示させる表示制御部と、
前記第１の表示領域に表示された種類情報の外部記憶媒体が前記第２の表示領域に表示された位置情報の装着部に装着されたことを検出する検出部と、
前記検出部により装着が検出され、かつ前記モード設定部により前記情報処理モードが設定されないとき、前記媒体選択モードの設定を保持するモード設定制御部とを備える情報処理装置。
【請求項２１】
前記モード設定部は、前記媒体選択モードを設定するために操作可能な第１の設定操作部と、前記情報処理モードを設定するために操作可能な第２の設定操作部とを有する請求項２０に記載の情報処理装置。
【請求項２２】
前記表示制御部は、前記検出部が前記外部記憶媒体の前記装着部への装着を検出したときに、検出後に表示される外部記憶媒体の種類情報および装着部の位置情報を、検出前に表示される外部記憶媒体の種類情報および装着部の位置情報と異なる表示状態で前記第１および第２の表示領域に表示させ、
前記モード設定制御部により前記媒体選択モードの設定が保持されている間、前記表示制御部は、前記検出後の外部記憶媒体の種類情報および装着部の位置情報の表示を保持し、前記媒体選択部により新たに選択された外部記憶媒体の種類情報およびその外部記憶媒体と前記対応関係にある装着部の位置情報を、前記検出後の外部記憶媒体の種類情報および装着部の位置情報と異なる表示状態で前記第１および第２の表示領域に表示させる請求項２０に記載の情報処理装置。
【請求項２３】
複数種類の外部記憶媒体がその対応関係にある複数の装着部に装着されたことが前記検出部により検出され、かつ前記モード設定部により前記情報処理モードが設定されたとき、前記装着された複数種類の外部記憶媒体の中から所望の外部記憶媒体を指定するために操作可能な媒体指定部を備えた請求項２０に記載の情報処理装置。
【請求項２４】
複数の外部記憶媒体が着脱可能に装着される複数の装着部と、
前記複数の外部記憶媒体の種類をそれぞれ表す複数の種類情報を表示する第１の表示領域と、前記複数の装着部の配置位置をそれぞれ表す複数の位置情報を表示する第２の表示領域とを１つの表示画面上に形成することが可能な表示部と、
前記複数の外部記憶媒体の種類と前記複数の装着部の配置位置との間の対応関係を記憶する対応記憶部と、
前記第１の表示領域における複数の種類情報の表示位置に関連してそれぞれ形成された複数の種類スイッチ領域を有し、前記複数の外部記憶媒体の中から所望の外部記憶媒体を選択するためにその所望の外部記憶媒体の種類情報の表示位置に関連した種類スイッチ領域を操作することが可能な媒体選択部と、
前記種類スイッチ領域の操作により所望の外部記憶媒体が選択されたときに、前記選択された外部記憶媒体の種類情報を、他の外部記憶媒体の種類情報と異なる表示状態で前記第１の表示領域に表示させ、前記対応記憶部に記憶された対応関係に基づいて前記選択された外部記憶媒体の種類に対応する前記装着部の配置位置を特定して、前記特定された装着部の位置情報を、他の装着部の位置情報と異なる表示状態で前記第２の表示領域に表示させる表示制御部とを備える情報処理装置。
【請求項２５】
前記第２の表示領域における前記複数の装着部の複数の位置情報の表示位置に関連してそれぞれ形成される複数の位置スイッチ領域を有し、前記複数の装着部の中から所望の装着部を選択するためにその所望の装着部の位置情報に関連した位置スイッチ領域を操作することが可能な装着選択部を備え、
前記表示制御部は、前記位置スイッチ領域の操作により所望の装着部が選択されたときに、前記選択された装着部の位置情報を、他の装着部の位置情報と異なる表示状態で前記第２の表示領域に表示させ、前記対応記憶部に記憶された対応関係に基づいて前記選択された装着部の配置位置に対応する前記外部記憶媒体の種類を特定して、前記特定された外部記憶媒体の種類情報を、他の外部記憶媒体の種類情報と異なる表示状態で前記第１の表示領域に表示させる請求項２４に記載の情報処理装置。
【請求項２６】
前記第２の表示領域は、装置フレームの外観とその装置フレーム上に配置された前記複数の装着部の配置場所とを表す外観情報を表示する外観表示状態と、前記複数の装着部の配置場所を拡大して表示する拡大表示状態とのいずれかに変更可能であり、
前記装着選択部は、前記外観表示状態にある前記第２の表示領域における前記複数の装着部の配置場所を表す外観情報の表示位置に関連して形成される操作可能な場所スイッチ領域を有し、
前記表示制御部は、前記場所スイッチ領域の操作により、前記外観表示状態から前記拡大表示状態に前記第２の表示領域を切り換える請求項２５に記載の情報処理装置。
【請求項２７】
複数の外部記憶媒体が着脱可能に装着される複数の装着部を備えた情報処理装置に使用されるコンピュータに、
前記外部記憶媒体の種類を表す種類情報を表示する第１の表示領域と、前記装着部の配置位置を表す位置情報を表示する第２の表示領域とを１つの表示画面上に形成する機能と、
前記外部記憶媒体の種類と前記装着部の配置位置との間の対応関係を記憶する機能と、
前記複数の外部記憶媒体の中から所望の外部記憶媒体を選択する機能と、
前記所望の外部記憶媒体が選択されたときに前記第１の表示領域に前記選択された外部記憶媒体の種類情報を表示させ、前記記憶された対応関係に基づいて前記選択された外部記憶媒体の種類に対応する前記装着部の配置位置を特定して、前記第２の表示領域に前記特定された装着部の位置情報を表示させる機能と、
を実現させる情報処理プログラム。
【発明の詳細な説明】
【技術分野】
【０００１】
本発明は、複数種類の外部記録媒体が着脱可能な複数の装着部を備える情報処理装置に係り、詳細には外部記憶媒体とその装着部とを１つの表示画面上に表示可能な情報処理装置に関するものである。
【背景技術】
【０００２】
パソコンやプリンタなどの情報処理装置は、外部記憶媒体が着脱可能に装着されるように構成されている。外部記録媒体は、文字や図形などの画像データ、あるいは制御命令などの情報を記憶することができる。外部記憶媒体が情報処理装置本体に装着されることにより、この媒体に記憶された情報は、情報処理装置内で処理され、ディスプレイに表示され、また印刷部で印刷される。
【０００３】
従来、外部記憶媒体として、ＣＤ−ＲＯＭ、フロッピー（登録商標）、ＰＣカードなどのサイズの大きな記憶媒体が一般に使用されていた。最近になって、コンパクトフラッシュ（登録商標）、スマートメディア（登録商標）、メモリースティック（登録商標）などのサイズの小さな記憶媒体が普及し始めた。小型サイズの記憶媒体の普及により、情報処理装置本体には、上記大型サイズの記憶媒体と共に多種類の小型サイズの記憶媒体が装着できるように多数の挿入口が設けられるようになった。
【０００４】
しかし、多種類の外部記憶媒体は、種々の異なる規格で構成され、外観形状や接続端子の数などが異なることから、ユーザは、情報処理装置本体の多数の挿入口の中から、使用する外部記憶媒体が装着可能な挿入口を目で確認しながら選択し、その挿入口に外部記憶媒体を挿入しなければならない。この挿入操作は、使用できる外部記憶媒体の種類が多くなるほど時間がかかり、ユーザの操作性が低下するという欠点があった。
【０００５】
上記欠点を解決するために、ユーザが使用を希望する外部記憶媒体に対応する挿入口をディスプレイに表示するプリント端末装置が提案された（特許文献１）。詳細には、装置本体に設けられたタッチパネル付きモニタが、まず多種類の外部記憶媒体の形状などを表すアイコンを表示する。この表示画面において、ユーザが使用する外部記憶媒体のアイコンにタッチして外部記憶媒体を選択する。このアイコンの選択により表示画面が切り換わり、モニタは、選択された外部記憶媒体に対応する挿入口を表示する。この表示された挿入口のランプが点滅することにより、ユーザは、対応する挿入口に外部記憶媒体を挿入することができる（特許文献１の段落００３３および００３４）。
【特許文献１】特開２００６−２８５７７９号公報
【発明の開示】
【発明が解決しようとする課題】
【０００６】
上記提案により、外部記憶媒体の挿入操作性が改善されたが、ユーザが対応する挿入口を迅速に確認する上では、依然として問題が残されていた。すなわち、上記提案の装置においては、外部記憶媒体のアイコンが選択されることにより、モニタの表示画面が外部記憶媒体を表示する画面から挿入口を表示する画面に切り換わってしまう。この結果、挿入口を表示する画面において、ユーザが先に選択した外部記憶媒体の種類を再度確認したい場合には、外部記憶媒体を表示する画面に戻すという余分な操作が必要となる。また、ユーザが、表示中のアイコンを誤って認識して、使用する外部記憶媒体のアイコンと異なるアイコンを選択した場合には、その誤ったアイコンの外部記憶媒体に対応する挿入口が表示されている画面だけでは、ユーザはアイコンの誤った選択に気が付くことはできない。このため、ユーザは、使用を希望した外部記憶媒体には対応しない不適当な挿入口に外部記憶媒体を挿入し、装置本体側の接続部を破損させるおそれがある。
【０００７】
そこで、本発明は、上記問題点に鑑みてなされたもので、ユーザが希望する外部記憶媒体と、その外部記憶媒体に対応する装着部とを１つの表示画面で表示することにより、外部記憶媒体と装着部との対応関係を一目で確認することができ、迅速かつ確実に外部記憶媒体の装着ができる情報処理装置および情報処理プログラムを提供することを目的とする。
【課題を解決するための手段】
【０００８】
[第１の発明態様およびその具体的態様の構成]
上記目的を達成するために、請求項１に記載の情報処理装置に係る第１の発明態様は、複数の外部記憶媒体が着脱可能に装着される複数の装着部と、前記外部記憶媒体の種類を表す種類情報を表示する第１の表示領域と、前記装着部の配置位置を表す位置情報を表示する第２の表示領域とを１つの表示画面上に形成することが可能な表示部と、前記外部記憶媒体の種類と前記装着部の配置位置との間の対応関係を記憶する対応記憶部と、前記複数の外部記憶媒体の中から所望の外部記憶媒体を選択するために操作可能な媒体選択部と、前記媒体選択部により所望の外部記憶媒体が選択されたときに前記第１の表示領域に前記選択された外部記憶媒体の種類情報を表示させ、前記対応記憶部に記憶された対応関係に基づいて前記選択された外部記憶媒体の種類に対応する前記装着部の配置位置を特定して、前記第２の表示領域に前記特定された装着部の位置情報を表示させる表示制御部とを備える。
【０００９】
第１の発明態様の情報処理装置は、外部記憶媒体から読み出した情報を印刷または表示する処理、あるいは新たな情報を取得して外部記憶媒体に書き込む処理を実行できるものであればよい。この情報処理装置は、プリンタなど画像形成部を備える情報処理装置だけでなく、パソコンやデジタルカメラなど画像形成部を有しない情報処理装置でもよい。
【００１０】
第１の発明態様の表示部および媒体選択部は、タッチパネルなどのディスプレイとユーザ操作部とがユニットとして組み合わされたものだけでなく、ディスプレイとユーザ操作部とが別々に装置本体に配置されるものでもよい。
【００１１】
第１の発明態様は、外部記憶媒体の種類と装着部の配置位置とを対応付けている。この対応関係は、外部記憶媒体の種類と装着部の配置位置とが１対１で対応する関係に限定されず、外部記憶媒体の１つの種類と装着部の複数の配置位置との対応関係、外部記憶媒体の複数の種類と装着部の１つの配置位置との対応関係、または外部記憶媒体の複数の種類と装着部の複数の配置位置との対応関係であってもよい。
【００１２】
第１の発明態様は、媒体選択部により選択された外部記憶媒体の種類情報とその対応関係にある装着部の位置情報とを、１つの表示部の第１および第２の表示領域にそれぞれ表示する。両表示領域での表示状態は、選択された外部記憶媒体に関して１つの種類情報とその対応関係にある少なくとも１つの位置情報とを表示する表示状態に限定されず、選択された外部記憶媒体と選択されていない他の外部記憶媒体とを区別できる状態で、複数の外部記憶媒体に関して複数の種類情報と複数の位置情報とを表示する表示状態でもよい。
【００１３】
第１の発明態様は、第１の表示領域に表示される前記選択された外部記憶媒体の種類情報の数を１つに限定するものではなく、前記媒体選択部により複数の外部記憶媒体が選択されたとき、前記選択された外部記憶媒体の種類情報を複数表示するものであってもよい。
【００１４】
請求項２は、種類情報の表示状態について具体化した具体的態様である。この具体的態様は、前記表示制御部が、前記媒体選択部により所望の外部記憶媒体が選択される前には、前記複数の外部記憶媒体の複数の種類情報を前記第１の表示領域に表示させ、前記媒体選択部により所望の外部記憶媒体が選択されたときに、前記選択された外部記憶媒体の種類情報を、他の外部記憶媒体の種類情報と異なる表示状態で前記第１の表示領域に表示させることを特徴とする。また、請求項３は、位置情報の表示状態について具体化した具体的態様である。この具体的態様は、前記表示制御部が、前記媒体選択部により所望の外部記憶媒体が選択される前には、前記複数の装着部の複数の位置情報を前記第２の表示領域に表示させ、前記媒体選択部により所望の外部記憶媒体が選択されたときに、前記特定された装着部の位置情報を、他の装着部の位置情報と異なる表示状態で前記第２の表示領域に表示させることを特徴とする。
【００１５】
請求項４は、種類情報の表示状態について更に具体化した具体的態様である。この具体的態様は、前記表示制御部が、前記媒体選択部により所望の外部記憶媒体が選択される前には、前記複数の外部記憶媒体の複数の種類情報を前記第１の表示領域に連続的に表示させ、前記媒体選択部により所望の外部記憶媒体が選択されたときに、前記選択された外部記憶媒体の種類情報のみを前記第１の表示領域に断続的に表示させることを特徴とする。また、請求項５は、位置情報の表示状態について更に具体化した具体的態様である。この具体的態様は、前記表示制御部が、前記媒体選択部により所望の外部記憶媒体が選択される前には、前記複数の装着部の複数の位置情報を前記第２の表示領域に連続的に表示させ、前記媒体選択部により所望の外部記憶媒体が選択されたときに、前記特定された装着部の位置情報のみを前記第２の表示領域に断続的に表示させることを特徴とする。
【００１６】
請求項６は、種類情報の内容について具体化した具体的態様である。この具体的態様は、前記種類情報が、前記外部記憶媒体の種類名を表す名称情報および前記外部記憶媒体の形状を表す形象情報の少なくとも１つを含む情報であることを特徴とする。また、請求項７は、位置情報の内容について具体化した具体的態様である。この具体的態様は、前記位置情報が、前記装着部の形状と配置位置とを表す情報であることを特徴とする。
【００１７】
請求項８は、外部記憶媒体の種類と装着部の配置位置との対応関係について具体化した具体的態様である。この具体的態様は、前記対応記憶部が、前記外部記憶媒体の各種類に関して前記装着部の配置位置との対応関係を少なくとも１つ記憶することを特徴とする。すなわち、外部記憶媒体の各種類は、装着部の１つまたは複数の配置位置と対応関係を有する。
【００１８】
請求項９は、外部記憶媒体の装着の前後における情報の表示状態について具体化した具体的態様である。この具体的態様は、前記各外部記憶媒体が前記各装着部に装着されたか否かを検出する検出部を備え、前記表示制御部が、前記検出部が前記外部記憶媒体の前記装着部への装着を検出したときに、検出後に表示される外部記憶媒体の種類情報および装着部の位置情報を、検出前に表示される外部記憶媒体の種類情報および装着部の位置情報と異なる表示状態で前記第１および第２の表示領域に表示させることを特徴とする。また、請求項１０は、外部記憶媒体の装着の前後における情報の表示状態について更に具体化した具体的態様である。この具体的態様は、前記表示制御部が、前記検出部が前記外部記憶媒体の前記装着部への装着を検出したときに、検出後に表示される外部記憶媒体の種類情報および装着部の位置情報を、検出前に表示される外部記憶媒体の種類情報および装着部の位置情報と異なる色で前記第１および第２の表示領域に表示させることを特徴とする。
【００１９】
請求項１１は、外部記憶媒体の装着後における種類情報と位置情報との間の表示状態の関係について更に具体化した具体的態様である。この具体的態様は、前記表示制御部が、前記検出後に表示される外部記憶媒体の種類情報の色と、その外部記憶媒体と対応関係にあり前記検出後に表示される装着部の位置情報の色とを、同じ色にして前記第１および第２の表示領域に表示させることを特徴とする。
【００２０】
請求項１２は、外部記憶媒体の装着後における複数の種類情報の間および複数の位置情報の間の表示状態の関係について更に具体化した具体的態様である。この具体的態様は、前記表示制御部が、前記検出後に表示される外部記憶媒体の種類情報の色を、前記各外部記憶媒体ごとに異ならせて前記第１の表示領域に表示させ、前記検出後に表示される装着部の位置情報の色を、前記各装着部ごとに異ならせて前記第２の表示領域に表示させることを特徴とする。
【００２１】
請求項１３は、第２の表示領域の表示状態について更に具体化した具体的態様である。この具体的態様は、前記第２の表示領域が、装置フレームの外観とその装置フレーム上に配置された前記複数の装着部の配置場所とを表示する外観表示状態と、前記複数の装着部の配置場所を拡大して表示する拡大表示状態とのいずれかに変更可能であることを特徴とする。また、請求項１４は、第２の表示領域の表示状態の切り換えと外部記憶媒体の選択との関係について具体化した具体的態様である。この具体的態様は、前記表示制御部が、前記媒体選択部により所望の外部記憶媒体が選択される前には、前記第２の表示領域を前記外観表示状態に設定し、前記媒体選択部により所望の外部記憶媒体が選択されたときに、前記第２の表示領域を前記外観表示状態から前記拡大表示状態に切り換えることを特徴とする。
【００２２】
請求項１３に係る具体的態様は、第２の表示領域を外観表示状態と拡大表示状態とのいずれかに変更することをユーザの手動操作で行う構成に限定するものではなく、情報処理装置の内部制御により、自動的に変更する構成、たとえば一定時間ごとに両表示状態を自動的に切り換える構成であってもよい。
【００２３】
請求項１５は、外部記憶媒体の装着前における外部記憶媒体の選択エラーの警告について具体化した具体的態様である。この具体的態様は、前記媒体選択部により選択された外部記憶媒体の種類を一時記憶する種類記憶部と、前記選択された外部記憶媒体が前記装着部に装着されたか否かを検出する検出部と、前記検出部が前記選択された外部記憶媒体の装着部への装着を検出する前に、前記種類記憶部に記憶された種類と同じ種類の外部記憶媒体が前記媒体選択部により選択されたか否か判別する第１の種類選択判別部と、前記種類選択判別部により同じ種類の外部記憶媒体が選択されたと判別されたとき、エラー警告を行う報知部とを備えることを特徴とする。また、請求項１６は、外部記憶媒体の装着後における外部記憶媒体の選択エラーの警告について具体化した具体的態様である。この具体的態様は、前記装着部に装着された前記外部記憶媒体の種類を検出する検出部と、前記検出部により検出された外部記憶媒体の種類と同じ種類の外部記憶媒体が前記媒体選択部により選択されたか否か判別する第２の種類選択判別部と、前記種類選択判別部により同じ種類の外部記憶媒体が選択されたと判別されたとき、エラー警告を行う報知部とを備えることを特徴とする。
【００２４】
請求項１７は、装着部の選択に関して第１の発明態様を具体化した具体的態様である。この具体的態様は、前記複数の装着部の中から所望の装着部を選択するために操作可能な装着選択部を備え、前記表示制御部が、前記装着選択部により所望の装着部が選択されたときに、前記第２の表示領域に前記選択された装着部の位置情報を表示させ、前記対応記憶部に記憶された対応関係に基づいて前記選択された装着部の配置位置に対応する前記外部記憶媒体の種類を特定して、前記第１の表示領域に前記特定された外部記憶媒体の種類情報を表示させることを特徴とする。
【００２５】
請求項１７の具体的態様の装着選択部は、タッチパネルなどのディスプレイと組み合わされてユニット化されたユーザ操作部だけでなく、ディスプレイとは別体に装置本体に配置されたユーザ操作部であってもよい。
【００２６】
請求項１７の具体的態様は、装着選択部により選択された装着部の位置情報とその対応関係にある外部記憶媒体の種類情報とを、１つの表示部の第２および第１の表示領域にそれぞれ表示する。両表示領域での表示状態は、選択された装着部に関して１つの位置情報とその対応関係にある少なくとも１つの種類情報とを表示する表示状態に限定されず、選択された装着部と選択されていない他の装着部とを区別できる状態で、複数の装着部に関して複数の位置情報と複数の種類情報とを表示する表示状態でもよい。
【００２７】
請求項１７の具体的態様は、第２の表示領域に表示される前記選択された装着部の位置情報の数を１つに限定するものではなく、前記装着選択部により複数の装着部が選択されたとき、前記選択された装着部の位置情報を複数表示するものであってもよい。
【００２８】
請求項１８は、外部記憶媒体の装着前における装着部の選択エラーの警告について具体化した具体的態様である。この具体的態様は、前記装着選択部により選択された装着部を一時記憶する装着記憶部と、前記外部記憶媒体が前記選択された装着部に装着されたか否かを検出する検出部と、前記検出部が前記選択された装着部への外部記憶媒体の装着を検出する前に、前記装着記憶部に記憶された装着部と同じ装着部が前記装着選択部により選択されたか否か判別する第１の装着選択判別部と、前記装着選択判別部により同じ装着部が選択されたと判別されたとき、エラー警告を行う報知部とを備えることを特徴とする。また、請求項１９は、外部記憶媒体の装着後における装着部の選択エラーの警告について具体化した具体的態様である。この具体的態様は、前記外部記憶媒体が装着された前記装着部を検出する検出部と、前記検出部により検出された装着部と同じ装着部が前記装着選択部により選択されたか否か判別する第２の装着選択判別部と、前記装着選択判別部により同じ装着部が選択されたと判別されたとき、エラー警告を行う報知部とを備えることを特徴とする。
【００２９】
[第２の発明態様およびその具体的態様の構成]
上記目的を達成するために、請求項２０に記載の情報処理装置に係る第２の発明態様は、複数の外部記憶媒体が着脱可能に装着される複数の装着部と、前記外部記憶媒体の種類を表す種類情報を表示する第１の表示領域と、前記装着部の配置位置を表す位置情報を表示する第２の表示領域とを１つの表示画面上に形成することが可能な表示部と、前記外部記憶媒体の種類と前記装着部の配置位置との間の対応関係を記憶する対応記憶部と、前記複数の外部記憶媒体の中から所望の外部記憶媒体を選択するために操作可能な媒体選択部と、前記媒体選択部による前記外部記憶媒体の選択を可能にする媒体選択モードと、その媒体選択モードを解除して前記外部記憶媒体に記憶された情報を処理する情報処理モードとのいずれかを設定するモード設定部と、前記媒体選択モードにおいて前記媒体選択部により所望の外部記憶媒体が選択されたときに前記第１の表示領域に前記選択された外部記憶媒体の種類情報を表示させ、前記対応記憶部に記憶された対応関係に基づいて前記選択された外部記憶媒体の種類に対応する前記装着部の配置位置を特定して、前記第２の表示領域に前記特定された装着部の位置情報を表示させる表示制御部と、前記第１の表示領域に表示された種類情報の外部記憶媒体が前記第２の表示領域に表示された位置情報の装着部に装着されたことを検出する検出部と、前記検出部により装着が検出され、かつ前記モード設定部により前記情報処理モードが設定されないとき、前記媒体選択モードの設定を保持するモード設定制御部とを備える。
【００３０】
第２の発明態様は、第１の発明態様と同様に、第１の発明態様と共通する各構成要素について種々の態様で実現される。第２の発明態様のモード設定部は、媒体選択モードと情報処理モードとのいずれかを手動で設定するユーザ操作部に限定されることはなく、情報処理装置の内部制御により設定する態様または外部装置からの指令信号により設定する態様であってもよい。
【００３１】
第２の発明態様の媒体選択モードは、媒体選択部により外部記憶媒体のみを選択するモードに限定されることはなく、外部記憶媒体および装着部の両者を選択することができるモードであってもよい。また、第２の発明態様の情報処理モードは、外部記憶媒体に記憶された情報を編集など変更できる処理モードだけでなく、外部記憶媒体からの情報を変更することなくそのまま印刷または表示することができるモードであってもよい。
【００３２】
請求項２１は、モード設定部について具体化した具体的態様である。この具体的態様は、前記モード設定部が、前記媒体選択モードを設定するために操作可能な第１の設定操作部と、前記情報処理モードを設定するために操作可能な第２の設定操作部とを有することを特徴とする。
【００３３】
請求項２２は、媒体選択モードにおける外部記憶媒体の繰り返し選択について具体化した具体的態様である。この具体的態様は、前記表示制御部が、前記検出部が前記外部記憶媒体の前記装着部への装着を検出したときに、検出後に表示される外部記憶媒体の種類情報および装着部の位置情報を、検出前に表示される外部記憶媒体の種類情報および装着部の位置情報と異なる表示状態で前記第１および第２の表示領域に表示させ、前記モード設定制御部により前記媒体選択モードの設定が保持されている間、前記表示制御部が、前記検出後の外部記憶媒体の種類情報および装着部の位置情報の表示を保持し、前記媒体選択部により新たに選択された外部記憶媒体の種類情報およびその外部記憶媒体と前記対応関係にある装着部の位置情報を、前記検出後の外部記憶媒体の種類情報および装着部の位置情報と異なる表示状態で前記第１および第２の表示領域に表示させることを特徴とする。
【００３４】
請求項２３は、情報処理モードにおける装着済の複数の外部記憶媒体の選択について具体化した具体的態様である。この具体的態様は、複数種類の外部記憶媒体がその対応関係にある複数の装着部に装着されたことが前記検出部により検出され、かつ前記モード設定部により前記情報処理モードが設定されたとき、前記装着された複数種類の外部記憶媒体の中から所望の外部記憶媒体を指定するために操作可能な媒体指定部を備えたことを特徴とする。
【００３５】
請求項２３の具体的態様の媒体指定部は、装着された複数種類の外部記憶媒体の中から１つの外部記憶媒体を指定するものに限定されず、複数の外部記憶媒体を指定するものであってもよい。
【００３６】
[第３の発明態様およびその具体的態様の構成]
上記目的を達成するために、請求項２４に記載の情報処理装置に係る第３の発明態様は、複数の外部記憶媒体が着脱可能に装着される複数の装着部と、前記複数の外部記憶媒体の種類をそれぞれ表す複数の種類情報を表示する第１の表示領域と、前記複数の装着部の配置位置をそれぞれ表す複数の位置情報を表示する第２の表示領域とを１つの表示画面上に形成することが可能な表示部と、前記複数の外部記憶媒体の種類と前記複数の装着部の配置位置との間の対応関係を記憶する対応記憶部と、前記第１の表示領域における複数の種類情報の表示位置に関連してそれぞれ形成された複数の種類スイッチ領域を有し、前記複数の外部記憶媒体の中から所望の外部記憶媒体を選択するためにその所望の外部記憶媒体の種類情報の表示位置に関連した種類スイッチ領域を操作することが可能な媒体選択部と、前記種類スイッチ領域の操作により所望の外部記憶媒体が選択されたときに、前記選択された外部記憶媒体の種類情報を、他の外部記憶媒体の種類情報と異なる表示状態で前記第１の表示領域に表示させ、前記対応記憶部に記憶された対応関係に基づいて前記選択された外部記憶媒体の種類に対応する前記装着部の配置位置を特定して、前記特定された装着部の位置情報を、他の装着部の位置情報と異なる表示状態で前記第２の表示領域に表示させる表示制御部とを備える。
【００３７】
第３の発明態様は、第１の発明態様と同様に、第１の発明態様と共通する各構成要素について種々の態様で実現される。第３の発明態様は、外部記憶媒体の種類と装着部の配置位置と対応関係を１対１の対応関係に限定するものではなく、１対複数の対応関係であってもよい。
【００３８】
第３の発明態様の媒体選択部は、種類情報の表示位置に関連して種類スイッチ領域が第１の表示領域に形成されることにより構成されている。種類スイッチ領域の形成される領域は、種類情報の表示位置と重なり合っているものに限定されることはなく、種類情報の表示位置と重なり合っていなくても、ユーザが種類情報の表示位置との関連性を容易に認識できる関係があればよい。また、第３の発明態様の媒体選択部は、第１の表示領域において操作された種類スイッチ領域の位置を検出できる構成であればよく、物理的接続を伴うスイッチのタイプに限定されず、静電容量スイッチなどの物理的接続を伴わないスイッチのタイプであってもよい。
【００３９】
請求項２５は、装着部の選択に関して第３の発明態様を具体化した具体的態様である。この具体的態様は、前記第２の表示領域における前記複数の装着部の複数の位置情報の表示位置に関連してそれぞれ形成される複数の位置スイッチ領域を有し、前記複数の装着部の中から所望の装着部を選択するためにその所望の装着部の位置情報に関連した位置スイッチ領域を操作することが可能な装着選択部を備え、前記表示制御部は、前記位置スイッチ領域の操作により所望の装着部が選択されたときに、前記選択された装着部の位置情報を、他の装着部の位置情報と異なる表示状態で前記第２の表示領域に表示させ、前記対応記憶部に記憶された対応関係に基づいて前記選択された装着部の配置位置に対応する前記外部記憶媒体の種類を特定して、前記特定された外部記憶媒体の種類情報を、他の外部記憶媒体の種類情報と異なる表示状態で前記第１の表示領域に表示させることを特徴とする。
【００４０】
請求項２５の具体的態様の装着選択部は、位置情報の表示位置に関連して位置スイッチ領域が第２の表示領域に形成されることにより構成されている。位置スイッチ領域の形成される領域は、上記種類スイッチ領域と同様に、ユーザが位置情報の表示位置との関連性を容易に認識できる関係があればよい。また、装着選択部は、第３の発明態様の媒体選択部と同様に、第２の表示領域において操作された位置スイッチ領域の位置を検出できる構成であればよく、種々の態様で実現される。
【００４１】
請求項２６は、装着部の配置場所の指定に関連して第２の表示領域の表示状態を切り換えることについて具体化した具体的態様である。この具体的態様は、前記第２の表示領域が、装置フレームの外観とその装置フレーム上に配置された前記複数の装着部の配置場所とを表す外観情報を表示する外観表示状態と、前記複数の装着部の配置場所を拡大して表示する拡大表示状態とのいずれかに変更可能であり、前記装着選択部が、前記外観表示状態にある前記第２の表示領域における前記複数の装着部の配置場所を表す外観情報の表示位置に関連して形成される操作可能な場所スイッチ領域を有し、前記表示制御部が、前記場所スイッチ領域の操作により、前記外観表示状態から前記拡大表示状態に前記第２の表示領域を切り換えることを特徴とする。
【００４２】
[第４の発明態様の構成]
上記目的を達成するために、請求項２７に記載の情報処理プログラムに係る第４の発明態様は、複数の外部記憶媒体が着脱可能に装着される複数の装着部を備えた情報処理装置に使用されるコンピュータに、前記外部記憶媒体の種類を表す種類情報を表示する第１の表示領域と、前記装着部の配置位置を表す位置情報を表示する第２の表示領域とを１つの表示画面上に形成する機能と、前記外部記憶媒体の種類と前記装着部の配置位置との間の対応関係を記憶する機能と、前記複数の外部記憶媒体の中から所望の外部記憶媒体を選択する機能と、前記所望の外部記憶媒体が選択されたときに前記第１の表示領域に前記選択された外部記憶媒体の種類情報を表示させ、前記記憶された対応関係に基づいて前記選択された外部記憶媒体の種類に対応する前記装着部の配置位置を特定して、前記第２の表示領域に前記特定された装着部の位置情報を表示させる機能と、を実現させる。
【００４３】
第４の発明態様は、第１の発明態様と同等に、各構成要素について種々の態様で実現される。第４の発明態様の情報処理プログラムが実行される情報処理装置は、第１の発明態様と同様に、外部記憶媒体から読み出した情報を印刷または表示する処理、あるいは新たな情報を取得して外部記憶媒体に書き込む処理を実行できるものであればよい。
【００４４】
第４の発明態様は、外部記憶媒体の種類と装着部の配置位置とを対応付けている。この対応関係は、第１の発明態様と同様に、１対１の対応関係に限定されず、１対複数の対応関係であってもよい。
【００４５】
第４の発明態様は、選択された外部記憶媒体の種類情報とその対応関係にある装着部の位置情報とを、１つの表示画面上の第１および第２の表示領域にそれぞれ表示する。両表示領域での表示状態は、第１の発明態様と同様に、選択された外部記憶媒体に関して１つの種類情報とその対応関係にある少なくとも１つの位置情報とを表示する表示状態に限定されず、選択された外部記憶媒体と選択されていない他の外部記憶媒体とを区別できる状態で、複数の外部記憶媒体に関して複数の種類情報と複数の位置情報とを表示する表示状態でもよい。
【００４６】
第４の発明態様は、第１の発明態様と同様に、第１の表示領域に表示される前記選択された外部記憶媒体の種類情報の数を１つに限定するものではなく、複数の外部記憶媒体が選択されたとき、前記選択された外部記憶媒体の種類情報を複数表示するものであってもよい。
【発明の効果】
【００４７】
[第１の発明態様、第４の発明態様およびその具体的態様の効果]
請求項１に係る第１の発明態様または請求項２７に係る第４の発明態様は、外部記憶媒体の種類を表す種類情報を表示する第１の表示領域と、装着部の配置位置を表す位置情報を表示する第２の表示領域とを１つの表示画面上に形成する構成であることから、ユーザは、外部記憶媒体と装着部との対応関係を一目で知ることができ、迅速かつ確実に外部記憶媒体を対応関係のある装着部に装着することができる。
【００４８】
請求項２または請求項３に係る具体的態様は、前記選択された外部記憶媒体の種類情報または前記特定された装着部の位置情報を、他の外部記憶媒体の種類情報または他の装着部の位置情報と異なる表示状態で前記第１または第２の表示領域に表示させる構成であるから、ユーザは、使用可能な全ての外部記憶媒体または使用可能な全ての装着部を一目で知ることができ、しかも表示領域の表示内容から、選択された外部記憶媒体のみ、または対応関係のある装着部のみを容易かつ確実に認識することができる。
【００４９】
請求項４または請求項５に係る具体的態様は、前記選択された外部記憶媒体の種類情報のみまたは前記特定された装着部の位置情報のみを前記第１または第２の表示領域に断続的に表示させる構成であるから、ユーザは、表示領域の断続的表示から、選択された外部記憶媒体のみ、または対応関係のある装着部のみを一層確実に認識することができる。
【００５０】
請求項６または請求項７に係る具体的態様は、前記種類情報が名称情報および形象情報の少なくとも１つを含む情報であり、または前記位置情報が前記装着部の形状と配置位置とを表す情報であることから、ユーザは、名称または形象の表示から外部記憶媒体の種類を一目で確認することができ、または形状と配置位置との両表示から装着部を容易に特定することができる。
【００５１】
請求項８に係る具体的態様は、外部記憶媒体の各種類が装着部の１つまたは複数の配置位置と対応関係を有する構成であるから、ユーザは、使用を希望する外部記憶媒体を装着しようとするときに、その外部記憶媒体の種類を知っておれば、対応関係のある装着部の配置位置を容易に見つけることができる。
【００５２】
請求項９または請求項１０に係る具体的態様は、外部記憶媒体の装着が検出される前と後とで、外部記憶媒体の種類情報および装着部の位置情報の表示状態を異ならせる構成であり、更に具体的には、表示色を異ならせる構成であるから、ユーザは、外部記憶媒体および装着部がすでに使用されているものであることを容易に知ることができ、特に、表示色が異なることにより、使用状態の認識が一層確実となり、外部記憶媒体の装着ミスを事前に防ぐことができる。
【００５３】
請求項１１に係る具体的態様は、外部記憶媒体の装着が検出された後に表示される種類情報の色と対応関係にある位置情報の色とを同じ色にする構成であるから、ユーザは、外部記憶媒体と装着部とが対応関係にあることを一目で知ることができ、外部記憶媒体が正しく装着されたことを容易に確認することができる。
【００５４】
請求項１２に係る具体的態様は、外部記憶媒体の装着が検出された後に表示される種類情報の色および位置情報の色を、各外部記憶媒体ごとにおよび各装着部ごとに異ならせる構成であるから、複数の外部記憶媒体が装着された場合でも、ユーザは、各外部記憶媒体ごとにおよび各装着部ごとにすでに使用されていることを容易に知ることができる。この結果、ユーザがすでに使用されている外部記憶媒体を誤って再度選択することを防止することができる。しかも、ユーザは、どの装着部が使用されているか使用されていないかを認識して、新たに選択された外部記憶媒体を、使用されていない装着部に装着することを容易に行うことができる。
【００５５】
請求項１３または請求項１４に係る具体的態様は、第２の表示領域を外観表示状態と拡大表示状態とのいずれかに変更可能にする構成であり、更に具体的には、媒体選択部による外部記憶媒体の選択により、第２の表示領域を外観表示状態から拡大表示状態に切り換える構成であるから、ユーザは、外観表示状態の表示から、先ず装置フレーム上の装着部の配置場所を知ることができ、拡大表示状態の表示から、複数の装着部の各々の配置位置を詳細に知ることができる。この結果、ユーザは外部記憶媒体を容易にかつ確実に装着することができる。しかも、外観表示状態から拡大表示状態への切り換えが、媒体選択部による外部記憶媒体の選択により自動的に行われることから、ユーザは外部記憶媒体の装着を一層迅速に行うことができる。
【００５６】
請求項１５または請求項１６に係る具体的態様は、すでに選択された外部記憶媒体が再度選択されたときに、またはすでに装着された外部記憶媒体が再度選択されたときにエラー警告を行う構成であるから、ユーザは、外部記憶媒体の選択ミスを容易に知ることができ、外部記憶媒体の選択および装着を迅速に正しく行うことができる。
【００５７】
請求項１７に係る具体的態様は、装着選択部により複数の装着部の中から所望の装着部を選択し、この選択された装着部の位置情報と前記特定された外部記憶媒体の種類情報とを第２および第１の表示領域に表示させる構成であるから、ユーザは、外部記憶媒体の種類を基に対応関係のある装着部を知る以外に、装着部の配置位置を基に対応関係のある外部記憶媒体を知ることができる。この結果、ユーザは、特定の装着部の配置位置のみを知っている場合でも、選択操作手順が限定されることなく、外部記憶媒体の装着を確実に行うことができる。
【００５８】
請求項１８または請求項１９に係る具体的態様は、すでに選択された装着部が再度選択されたときに、またはすでに外部記憶媒体が装着された装着部が再度選択されたときにエラー警告を行う構成であるから、ユーザは、装着部の選択ミスを容易に知ることができ、装着部の選択および外部記憶媒体の装着を迅速に正しく行うことができる。
【００５９】
[第２の発明態様およびその具体的態様の効果]
請求項２０に係る第２の発明態様は、外部記憶媒体が対応関係のある装着部に装着されたことが検出され、かつモード設定部により前記情報処理モードが設定されないときに、前記媒体選択モードの設定を保持する構成であるから、ユーザは、媒体選択モードが保持されている間に複数種類の外部記憶媒体を順次選択して装着した後に、情報処理モードにおいて複数種類の外部記憶媒体に記憶された情報をまとめて処理することができる。すなわち、ユーザが１つの種類の外部記憶媒体の選択および装着を行って情報処理を終了する度に、他の種類の外部記憶媒体を選択するために媒体選択モードを再度設定する操作を不要にすることができ、複数種類の外部記憶媒体の選択および装着を効率良く行うことができる。
【００６０】
請求項２１に係る具体的態様は、媒体選択モードを設定する操作部と情報処理モードを設定する操作部とをそれぞれ有する構成であるので、ユーザは、外部記憶媒体の選択状況に応じて任意の時期に情報処理モードに変更することができ、また情報処理作業が終了した後に任意の時期に媒体選択モードを設定することができ、外部記憶媒体の選択および情報処理を効率良く行うことができる。
【００６１】
請求項２２に係る具体的態様は、媒体選択モードの設定が保持されている間、装着が検出された外部記憶媒体の種類情報および装着部の位置情報の表示を保持し、新たに選択された外部記憶媒体の種類情報および装着部の位置情報を、表示が保持されている種類情報および位置情報と異なる表示状態で表示する構成であるから、ユーザは、すでに装着されている外部記憶媒体の種類情報および装着部の位置情報と、新たに選択された外部記憶媒体の種類情報および装着部の位置情報とを容易に区別することができる。この結果、新たに選択された外部記憶媒体が、すでに使用されている装着部に誤って装着されることを事前に防止することができる。
【００６２】
請求項２３に係る具体的態様は、情報処理モードにおいて、装着が検出された複数種類の外部記憶媒体の中から所望の外部記憶媒体を指定する構成であるから、ユーザは、媒体選択モードにおいて装着された複数種類の外部記憶媒体の中から、情報処理モードにおいて１つの外部記憶媒体を指定することも、または任意に組み合わせて複数の外部記憶媒体を指定することもできる。この結果、ユーザの希望する種々の情報処理を実行することが可能になる。
【００６３】
[第３の発明態様およびその具体的態様の効果]
請求項２４に係る第３の発明態様は、第１の表示領域における複数の種類情報の表示位置に関連してそれぞれ形成された複数の種類スイッチ領域を有し、複数の外部記憶媒体の中から所望の外部記憶媒体を選択するためにその所望の外部記憶媒体の種類情報の表示位置に関連した種類スイッチ領域を操作することが可能な媒体選択部を備える構成であるから、ユーザは、種類情報と種類スイッチ領域との関連性を一目で認識することができ、種類情報の表示から所望の外部記憶媒体を迅速かつ確実に選択することができる。
【００６４】
請求項２５に係る具体的態様は、第２の表示領域における複数の位置情報の表示位置に関連してそれぞれ形成される複数の位置スイッチ領域を有し、複数の装着部の中から所望の装着部を選択するためにその所望の装着部の位置情報に関連した位置スイッチ領域を操作することが可能な装着選択部を備える構成であるから、ユーザは、位置情報と位置スイッチ領域との関連性を一目で認識することができ、位置情報の表示から所望の装着部を迅速かつ確実に選択することができる。
【００６５】
請求項２６に係る具体的態様は、外観表示状態にある第２の表示領域における複数の装着部の配置場所を表す外観情報の表示位置に関連して形成される操作可能な場所スイッチ領域を有し、その場所スイッチ領域の操作により、外観表示状態から拡大表示状態に第２の表示領域を切り換える構成であるから、ユーザは、複数の装着部全体の配置場所を表す外観情報と場所スイッチ領域との関連性を一目で認識することができ、しかも複数の装着部の個々の配置位置を詳細に知りたい任意の時に、場所スイッチ領域を操作して外観表示状態から拡大表示状態へ切り換えることができ、所望の装着部の選択を確実に行うことができる。
【発明を実施するための最良の形態】
【００６６】
[第１の実施形態]
以下、本発明の情報処理装置を複合機に適用した第１の実施形態について、添付図面を参照して説明する。一般には、複合機は、プリンタ機能、スキャナ機能、コピー機能およびファクシミリ機能を備えたものが多いが、これらの全ての機能を備えている必要はない。
【００６７】
《外観全体構成》
第１の実施形態に係る複合機１の外観全体構成について図１および図２を参照して説明する。図１は、複合機１の外観構成を示し、図２は、複数の挿入口の周辺部を拡大して示している。図１において、複合機１は、インクジェットプリンタなど公知のプリンタ部２およびフラットベットタイプの公知のスキャナ部３をフレームの下部および上部に備え、操作パネル部４をフレームの前方上面に備えている。タッチパネル５が、操作パネル部４の中央に配置されている。
【００６８】
複合機１の各種の機能を選択するために、ファックスキー６と、スキャンキー７と、コピーキー８と、後述のカード選択モードに移行するために操作可能な移行キー９とが、タッチパネル５の右側に近接して配置されている。その他、数字、文字などを入力するための公知のテンキーがタッチパネル５の左側に配置されている。上記キー６〜９およびテンキーなどのキーが多数の入力キー１０を構成する。移行キー９は、本発明のモード設定部に含まれる第１の設定操作部の一例である。
【００６９】
複合機１は、内蔵メモリ以外に、外部メモリの情報をも処理することができように構成されている。本実施形態では、外部メモリとして、コンパクトフラッシュ（ＣｏｍｐａｃｔＦｌａｓｈ、登録商標）、メモリースティック（Ｍｅｍｏｒｙ  Ｓｔｉｃｋ、登録商標）、ｘＤピクチャーカード（ｘＤ−Ｐｉｃｔｕｒｅ  Ｃａｒｄ、登録商標）、およびＳＤメモリカード（ＳＤ  Ｍｅｍｏｒｙ  Ｃａｒｄ、登録商標）が使用可能である。図２に示すように、便宜上、コンパクトフラッシュ、メモリースティック、ｘＤピクチャーカード、およびＳＤメモリカードは、第１〜第４のメモリカード２０〜２３とそれぞれ記載される。これらの４種類のメモリカード２０〜２３は、本発明の外部記憶媒体の一例である。
【００７０】
複合機１は、図１に示すように、４種類のメモリカード２０〜２３を装着するために操作パネル部４の直ぐ下方に４つの挿入口３０〜３３を備えている。４つの挿入口３０〜３３は、フレームの前方正面の左側にやや前方に突出して形成された装着平面１１にまとめて配置されている。図２に示すように、第１の挿入口３０は第１のメモリカード２０を装着するために設けられ、近接して配置された他の３つの挿入口３１〜３３から離れて位置している。第２の挿入口３１は第２のメモリカード２１を装着するために設けられ、第３の挿入口３２は第３のメモリカード２２を装着するために第２の挿入口３１の直ぐ下方に配置されている。第４の挿入口３３は第４のメモリカード２３を装着するために設けられ、第３の挿入口３２の直ぐ下方に配置されている。これらの挿入口３０〜３３は、本発明の装着部の一例である。
【００７１】
図２に示すように、第１〜第４の挿入口３０〜３３の大きさは、第１〜第４のメモリカード２０〜２３の幅（左右方向の大きさ）および厚さ（上下方向の大きさ）に応じて決められており、本実施形態では、各挿入口と各メモリカードとの間に１対１の対応関係がある。このため、各メモリカードは対応関係にない挿入口に装着できないように各挿入口が形成されている。また、第１〜第４のメモリカード２０〜２３の各々が、対応関係のある挿入口に装着されたことを検出するために第１〜第４の挿入口３０〜３３の内方には、第１〜第４の装着検出端子４０〜４３が配設されている。各装着検出端子は、常時は開放状態にあり、メモリカードが装着されたときに閉成されるように構成されている。これらの装着検出端子４０〜４３は、本発明における外部記憶媒体の装着を検出する検出部の一例である。
【００７２】
《電気的全体構成》
複合機１の電気的全体構成について図３および図４を参照して説明する。図３は、複合機１の電気的構成を示すブロック図であり、図４は、カード選択モードにおいて外観表示状態にある液晶表示部６８の表示画面を示す。図３において、制御部６０は、複合機１の各種の機能を実行するために統括的に制御処理を行うもので、ＣＰＵ６１、ＲＯＭ６２、ＲＡＭ６３からなるマイクロコンピュータとして構成されている。制御部６０は、バス６４を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）６５に接続されている。プリンタ部２およびスキャナ部３は、ＡＳＩＣ６５に接続されている。また、多数の入力キー１０は、パネルゲートアレイ（パネルＧＡ）６６を介してＡＳＩＣ６５に接続されている。パネルゲートアレイ（パネルＧＡ）６６は、多数の入力キー１０の各々の操作によりキー信号をＡＳＩＣ６５に入力する動作を制御するものである。ＡＳＩＣ６５は、ＣＰＵ６１からの指令に従い、プリンタ部、スキャナ部などの接続された周辺機器の制御を行う。
【００７３】
タッチパネル５は、透明電極からなるマトリックススイッチ６７と、このスイッチ６７の下方に配設された液晶表示部６８とから構成され、この構成は公知のものである。マトリックススイッチ６７は、タッチ検出部６９を介してＡＳＩＣ６５に接続され、液晶表示部６８は、表示制御部７０を介してＡＳＩＣ６５に接続されている。タッチ検出部６９は、ユーザがマトリックススイッチ６７上の所望の位置に接触すると、その接触された座標位置を検出して位置信号をＡＳＩＣ６５に出力するものである。液晶表示部６８は、本発明の表示部の一例である。
【００７４】
表示制御部７０は、ＣＰＵ６１からの指令に従い、複合機１が実行する機能に関する各種の情報を液晶表示部６８に表示させるために、液晶表示部６８の画面表示を制御するものである。たとえば、表示制御部７０は、スキャナ部３により読み取られた画像データを表示させるために液晶表示部６８を制御する。また、表示制御部７０は、挿入口に装着されたメモリカード、または複合機１が一般に備えるＵＳＢ端子に接続されたパソコンなどの外部情報処理装置から受け取った画像データを表示させるために、液晶表示部６８を制御する。
【００７５】
表示制御部７０は、後述のカード選択モードにおいて、図４に示す画面を液晶表示部６８に表示させる。表示画面において、右側に第１の表示領域６８Ａが形成され、左側に第２の表示領域６８Ｂが形成されるように、表示制御部７０は液晶表示部６８を制御する。第１の表示領域６８Ａは、４種類のメモリカード２０〜２３に関する情報を表示することができ、第２の表示領域６８Ｂは、複合機１の外観および挿入口の配置場所周辺を表す情報を表示することができる。表示制御部７０は、本発明の表示制御部の一例であり、第１および第２の表示領域６８Ａ、６８Ｂは、本発明の第１および第２の表示領域の一例である。
【００７６】
本実施形態では、第２の表示領域６８Ｂが、液晶表示部６８の左側に形成され、かつ挿入口の配置場所に関する情報を表示する。そして、４つの挿入口３０〜３３は、複合機１のフレームの前方正面において、第１の表示領域６８Ａよりは第２の表示領域６８Ｂに近接する場所に配置されている。この挿入口の配置構成から、ユーザは、第２の表示領域６８Ｂの表示と挿入口の配置場所との両者を、大きく視線をずらすことなく確認することができ、メモリカードの装着を迅速かつ確実に行うために有利である。
【００７７】
ファクシミリ通信を制御するために、ＮＣＵ（Ｎｅｔｗｏｒｋ  Ｃｏｎｔｒｏｌ  Ｕｎｉｔ）７１がＡＳＩＣ６５に接続され、送信信号および受信信号の変換を行うモデム７２がＮＣＵ７１に接続されている。
【００７８】
第１〜第４の装着検出端子４０〜４３は、ＡＳＩＣ６５に接続され、メモリカードが装着されたときに閉成されて装着検出信号をＡＳＩＣ６５に出力する。第１〜第４のメモリカード２０〜２３がそれぞれ接続される４つのデータ端子群が、装着検出端子４０〜４３と共に、第１〜第４の挿入口３０〜３３の内部にそれぞれ配設されている。４つのデータ端子群は、カード接続部７３を構成し、メモリカードとＡＳＩＣ６５との間のデータ供給のために使用される。
【００７９】
（各種記憶部の構成）
複合機１が有する各種記憶部の構成について図３〜図８を参照して説明する。ＣＰＵ６１は、ＲＯＭ６２に記憶されたプログラムに従って各種の機能を実行するための制御処理を行う。図３に示すように、ＲＯＭ６２は、プログラム記憶部６２Ａ、座標記憶部６２Ｂ、対応テーブル記憶部６２Ｃ、および表示情報記憶部６２Ｄを有している。プログラム記憶部６２Ａは、複合機１が備えるプリンタ機能、スキャナ機能、コピー機能、およびファクシミリ機能をそれぞれ実行するための主制御プログラムＰＧ１、後述のカード処理ルーチンを実行するカード処理プログラムＰＧ２などのプログラムを記憶している。カード処理プログラムＰＧ２は、カード選択モードおよびカード操作モードを実行するプログラムを含んでいる。
【００８０】
図６Ａに示すように、座標記憶部６２Ｂは、外観表示状態における挿入口の表示位置に関するマトリックススイッチ６７上の座標位置「（ｘ１，ｙ１）〜（ｘ２，ｙ２）」、「（ｘ３，ｙ３）〜（ｘ４，ｙ４）」、「（ｘ５，ｙ５）〜（ｘ６，ｙ６）」、「（ｘ７，ｙ７）〜（ｘ８，ｙ８）」を記憶している。これらの座標位置は、図４に示す第２の表示領域６８Ｂが複合機１の外観全体を表す外観表示状態である場合に、第１〜第４の挿入口３０〜３３の配置位置に関する情報が第２の表示領域６８Ｂに表示される表示位置に対応するマトリックススイッチ６７上の座標位置である。また、図６Ｂに示すように、座標記憶部６２Ｂは、拡大表示状態における挿入口の表示位置に関するマトリックススイッチ６７上の座標位置「（ｘ２１，ｙ２１）〜（ｘ２２，ｙ２２）」、「（ｘ２３，ｙ２３）〜（ｘ２４，ｙ２４）」、「（ｘ２５，ｙ２５）〜（ｘ２６，ｙ２６）」、「（ｘ２７，ｙ２７）〜（ｘ２８，ｙ２８）」を記憶している。これらの座標位置は、図５に示す第２の表示領域６８Ｂが挿入口の配置場所を拡大して表示する拡大表示状態である場合に、第１〜第４の挿入口３０〜３３の配置位置に関する情報が第２の表示領域６８Ｂに表示される表示位置に対応するマトリックススイッチ６７上の座標位置である。
【００８１】
図６Ａおよび図６Ｂに示すように、座標記憶部６２Ｂは、第１〜第４のメモリカード２０〜２３に関する情報が第１の表示領域６８Ａに表示される表示位置に対応するマトリックススイッチ６７上の座標位置「（ｘ９，ｙ９）〜（ｘ１０，ｙ１０）」、「（ｘ１１，ｙ１１）〜（ｘ１２，ｙ１２）」、「（ｘ１３，ｙ１３）〜（ｘ１４，ｙ１４）」、「（ｘ１５，ｙ１５）〜（ｘ１６，ｙ１６）」を記憶している。
【００８２】
座標位置は、各表示領域におけるメモリカードなどの選択対象の表示位置に対応するマトリックススイッチ６７上の操作可能な四角形の範囲の対角線方向に位置する頂点の座標を表している。たとえば、図６Ａに示す第１のメモリカード２０に関して、マトリックススイッチ６７上の座標位置「（ｘ９，ｙ９）〜（ｘ１０，ｙ１０）」は、図４に示すように、「ＣＦカード」と表示されている第１のメモリカード２０の形象を表す四角形の頂点ＣＰ１および頂点ＣＰ２の座標を表している。
【００８３】
対応テーブル記憶部６２Ｃは、第１〜第４のメモリカード２０〜２３中のどのメモリカードが第１〜第４の挿入口３０〜３３中のどの挿入口と対応関係にあるかを定めるために両者間の対応関係を記憶している。本実施形態では、メモリカードと挿入口とは１対１の対応関係を有しており、図７Ａおよび図７Ｂに示す対応関係が両者の間にある。図７Ａに示す対応関係は、図４に示す第２の表示領域６８Ｂが外観表示状態である場合に、液晶表示部６８の表示画面上またはマトリックススイッチ６７上の領域において、メモリカードの座標位置と挿入口の座標位置とを対応付けするものである。また、図７Ｂに示す対応関係は、図５に示す第２の表示領域６８Ｂが拡大表示状態である場合に、液晶表示部６８の表示画面上またはマトリックススイッチ６７上の領域において、メモリカードの座標位置と挿入口の座標位置とを対応付けするものである。
【００８４】
たとえば、図７Ｂに示す第１のメモリカード２０と第１の挿入口３０との対応関係は、メモリカードの座標位置「（ｘ９，ｙ９）〜（ｘ１０，ｙ１０）」と挿入口の座標位置「（ｘ２１，ｙ２１）〜（ｘ２２，ｙ２２）」とを対応付けるものである。ユーザが第１のメモリカード２０の座標位置を選択すれば、この対応関係に従い第１の挿入口３０の座標位置が特定され、その挿入口３０の座標位置において挿入口に関する表示情報（点滅表示）が第２の表示領域６８Ｂに表示されるようになる。また、ユーザが第１の挿入口３０の座標位置を選択すれば、この対応関係に従い第１のメモリカード２０の座標位置が特定され、そのメモリカード２０の座標位置においてメモリカードに関する表示情報（点滅表示）が第１の表示領域６８Ａに表示されるようになる。対応テーブル記憶部６２Ｃは、本発明の対応記憶部の一例である。
【００８５】
表示情報記憶部６２Ｄは、複合機１の各機能を実行するために液晶表示部６８に表示される各種の画像およびメッセージとその色彩とを表す表示情報を記憶している。特に、複合機１がカード選択モードを実行するときに液晶表示部６８に表示される表示情報として、表示情報記億部６２Ｄは、図５に示す第１〜第４のメモリカード２０〜２３の種類をそれぞれ表す種類情報ＫＤ１、ＫＤ２、ＫＤ３、ＫＤ４と、第１〜第４の挿入口３０〜３３の配置位置をそれぞれ表す位置情報ＰＤ１、ＰＤ２、ＰＤ３、ＰＤ４とを記憶している。また、表示情報記憶部６２Ｄは、図４に示す複合機１のフレーム外観とそのフレーム上で４つの挿入口の配置位置とを第２の表示領域６８Ｂに表示する外観表示状態において、フレーム外観と４つの挿入口の配置位置とを表す外観情報ＦＤを、表示情報として記憶している。
【００８６】
本実施形態では、種類情報ＫＤ１は、第１のメモリカード２０の種類名「ＣＦカード」を表す名称情報と、第１のメモリカード２０の形状を表す形象情報とから構成されている。同様に、種類情報ＫＤ２は、第２のメモリカード２１の種類名「メモリー・スティック」を表す名称情報とその形状を表す形象情報とから構成され、種類情報ＫＤ３は、第３のメモリカード２２の種類名「ｘＤカード」を表す名称情報とその形状を表す形象情報とから構成され、種類情報ＫＤ４は、第４のメモリカード２３の種類名「ＳＤカード」を表す名称情報とその形状を表す形象情報とから構成されている。また、位置情報ＰＤ１〜ＰＤ４は、第１〜第４の挿入口３０〜３３の配置位置と共に、その挿入口の開口形状をそれぞれ表している。
【００８７】
図８に示すように、表示情報記憶部６２Ｄは、第１〜第４のメモリカード２０〜２３および第１〜第４の挿入口３０〜３３に関する種類情報と位置情報の色彩と、点灯または点滅の表示態様とを、表示情報として記憶している。情報の色彩と表示態様とは、カード選択モードにおいて、メモリカードおよび挿入口が選択される前、選択された後、およびメモリカードが装着された後の各時点で、異なっている。
【００８８】
すなわち、カード選択モードにおいて、メモリカードおよび挿入口が選択される前は、表示画像であるメモリカードの種類情報ＫＤ１〜ＫＤ４および挿入口の位置情報ＰＤ１〜ＰＤ４に関する色彩および表示状態は、全ての表示対象について同じであり、黒色で、かつ連続的な表示である点灯状態となるように決められている。
【００８９】
選択された後は、対応関係にあるメモリカードと挿入口とに関しては色彩が同じであるが、異なる種類のメモリカードおよび挿入口に関しては色彩が異なる。詳細には、種類情報ＫＤ１および位置情報ＰＤ１に関する色彩および表示状態は、赤色で、断続的な表示である点滅表示となるように決められている。同様に、種類情報ＫＤ２および位置情報ＰＤ２に関する色彩および表示状態は、緑色で点滅表示となるように決められ、種類情報ＫＤ３および位置情報ＰＤ３に関する色彩および表示状態は、青色で点滅表示となるように決められ、種類情報ＫＤ４および位置情報ＰＤ４に関する色彩および表示状態は、黄色で点滅表示となるように決められている。
【００９０】
また、メモリカードが挿入口に装着された後は、上記選択された後と同様に、異なる種類のメモリカードおよび挿入口に関しては色彩が異なる。詳細には、種類情報ＫＤ１および位置情報ＰＤ１に関する色彩および表示状態は、赤色で、点灯表示となるように決められている。同様に、種類情報ＫＤ２および位置情報ＰＤ２に関する色彩および表示状態は、緑色で点灯表示となるように決められ、種類情報ＫＤ３および位置情報ＰＤ３に関する色彩および表示状態は、青色で点灯表示となるように決められ、種類情報ＫＤ４および位置情報ＰＤ４に関する色彩および表示状態は、黄色で点灯表示となるように決められている。
【００９１】
ＲＡＭ６３は、ＣＰＵ６１がプログラム記憶部６２Ａ中の各プログラムを実行する際に演算処理したデータを一時的に記憶する作業領域を有している。また、ＲＡＭ６３は、カード選択モードにおいて、選択されたメモリカードの種類を表す情報を一時的に記憶する種類記憶領域と、選択された挿入口を表す情報を一時的に記憶する装着記憶領域とを有している。さらに、ＲＡＭ６３は、カード選択モードにおいて装着されたメモリカードの種類を表す情報、及び装着された挿入口を表す情報を一時的に記憶する記憶領域を有している。この種類記憶領域および装着記憶領域は、本発明の種類記憶部および装着記憶部の一例である。
【００９２】
（メモリカード選択部および挿入口選択部の構成）
カード選択モードにおいて、ユーザは、液晶表示部６８の表示画像を見ながらメモリカードまたは挿入口を選択することができる。液晶表示部６８の表示画像である種類情報および位置情報の表示位置を表す座標位置は、マトリックススイッチ６７上の座標位置と同じであり、図６Ａおよび図６Ｂに示すように、対座標記憶部６２Ｂに記憶されている。この記憶された座標位置は、マトリックススイッチ６７上で、ユーザが選択のために操作可能なスイッチ領域を画定する。
【００９３】
たとえば、図５は、液晶表示部６８が第２の表示領域６８Ｂにおいて挿入口の配置位置を拡大して表示する拡大表示状態にある表示画面を示す。この表示画面において、種類情報ＫＤ１を選択するためにユーザが操作可能なスイッチ領域は、図６Ｂに示すメモリカードの座標位置「（ｘ９，ｙ９）〜（ｘ１０，ｙ１０）」により画定される。また、位置情報ＰＤ１を選択するためにユーザが操作可能なスイッチ領域は、図６Ｂに示す挿入口の座標位置「（ｘ２１，ｙ２１）〜（ｘ２２，ｙ２２）」により画定される。同様に、他の種類情報ＫＤ２〜ＫＤ４および位置情報ＰＤ２〜ＰＤ４についても、ユーザが操作可能なスイッチ領域は図６Ｂに示す各座標位置により画定される。
【００９４】
図４は、液晶表示部６８が第２の表示領域６８Ｂにおいてフレーム外観およびそのフレーム上の挿入口の配置位置を表示する外観表示状態にある表示画面を示す。この表示画面において４つの挿入口の各々を表示する表示位置を表す座標位置は、図６Ａに示す挿入口の座標位置である。図４に示す第２の表示領域６８Ｂにおいて、ユーザが挿入口を選択するためにマトリックススイッチ６７上で操作可能なスイッチ領域は、図６Ａに示す挿入口の座標位置により画定される。たとえば、図４に示す第２の表示領域６８Ｂにおいて、ユーザが第１の挿入口３０を選択するために操作可能なスイッチ領域は、図６Ａに示す挿入口の座標位置「（ｘ１，ｙ１）〜（ｘ２，ｙ２）」により画定される。図６Ａおよび図６Ｂに示すメモリカードの座標位置により画定されるスイッチ領域が、本発明の種類スイッチ領域の一例である。また、図６Ｂに示す挿入口の座標位置により画定されるスイッチ領域が、本発明の位置スイッチ領域の一例である。
【００９５】
液晶表示部６８の第２の表示領域６８Ｂは、図４に示す外観表示状態から図５に示す拡大表示状態に切換え可能である。この切り換えのためにユーザがマトリックススイッチ６７上で操作可能な切換スイッチ領域は、図６Ａに示す第１〜第４の挿入口の座標位置により表される領域を全て合わせた領域であり、この４つの挿入口の座標位置により画定される。上記４つの挿入口の座標位置により画定される切換スイッチ領域が、本発明の場所スイッチ領域の一例である。
【００９６】
本実施形態では、メモリカードおよび挿入口を選択するために操作可能なスイッチ領域と、第２の表示領域６８Ｂを切り換えるために操作可能なスイッチ領域は、マトリックススイッチ６７の作用および座標記憶部６２Ｂの記憶データにより構成される。したがって、マトリックススイッチ６７および座標記憶部６２Ｂから構成されるスイッチ領域を有するメモリカード選択部および挿入口選択部は、本発明の媒体選択部および装着選択部の一例である。
【００９７】
（タッチパネル上に形成されるキーの構成）
上記のように、メモリカードおよび挿入口を選択するためのスイッチ領域と、第２の表示領域の表示状態を切り換えるための切換スイッチ領域とが、タッチパネル５上に形成されるが、これらのスイッチ領域以外に各種のスイッチ領域が形成される。図４に示すように、「戻しキー」の名称とその名称を囲む四角形の形象とからなる戻しキー表示情報ＲＫＤが、第１の表示領域６８Ａの右下領域に表示される。また、図５に示すように、カード選択モードからカード操作モードに切り換えるために、「カード操作キー」の名称とその名称を囲む四角形の形象とからなる操作キー表示情報ＣＫＤ１が、第１の表示領域６８Ａの下方領域に表示され、同様に構成された操作キー表示情報ＣＫＤ２が、第２の表示領域６８Ｂの下方領域に表示される。これらの表示情報ＲＫＤ、ＣＫＤ１およびＣＫＤ２は、表示情報記憶部６２Ｄに記憶されている。表示情報ＲＫＤ、ＣＫＤ１およびＣＫＤ２の表示位置を表す座標位置は、マトリックススイッチ６７上の座標位置と同じであり、ＲＯＭ６２中に設けられた他の座標記憶部に記憶されている。表示情報ＲＫＤで表される戻しキーとしてユーザが操作可能なマトリックススイッチ６７上のスイッチ領域と、表示情報ＣＫＤ１およびＣＫＤ２で表されるカード操作キーとしてユーザが操作可能なマトリックススイッチ６７上のスイッチ領域とは、他の座標記憶部に記憶された座標位置により画定される。マトリックススイッチ６７およびＲＯＭ６２中の他の座標記憶部から構成されるカード操作キーのスイッチ領域は、本発明のモード設定部に含まれる第２の設定操作部の一例である。
【００９８】
《動作および作用》
以上説明したように構成された本実施形態の動作および作用について、図９〜図１４に示すフローチャートを参照して説明する。図９は主制御ルーチンを示すフローチャートであり、図１０はカード処理ルーチンを示すフローチャートであり、図１１〜図１３はカード選択モードの実行を示すフローチャートであり、図１４はカード操作モードの実行を示すフローチャートである。
【００９９】
（主制御ルーチン）
ＣＰＵ６１は、複合機１に電源が供給されて動作状態にある間、プログラム記憶部６２Ａに記憶された主制御プログラムＰＧ１を読み出し、図９に示す主制御ルーチンを実行する。まず、複合機１への電源投入により、主制御ルーチンが実行され、初期画面が液晶表示部６８に表示される（Ｓ１）。本実施形態では、初期画面は時計表示である。そして、操作パネル４上の多数の入力キー１０中のいずれかの入力があったか判断される（Ｓ２）。いずれの入力キーの入力もない場合（Ｓ１：ＮＯ）、処理はステップＳ１に戻る。いずれかの入力キーの入力があった場合（Ｓ１：ＹＥＳ）、操作パネル４上の移行キー９の入力があったかが判断される（Ｓ３）。移行キー９の入力がない場合（Ｓ３：ＮＯ）、キー入力処理ルーチンが実行される（Ｓ４）。キー入力処理ルーチンは、多数の入力キー１０の中で入力された入力キーに対応する機能を実行するルーチンであり、ファックスキー６、スキャンキー７、コピーキー８のいずれかが操作されれば、これらのキーに対応する機能が実行される。移行キー９の入力があった場合（Ｓ３：ＹＥＳ）、カード処理ルーチンが実行される（Ｓ５）。このカード処理ルーチンの実行が終了すれば、処理はステップＳ１に戻り、初期画面が表示される。
【０１００】
（カード処理ルーチン）
移行キー９の入力があると、ＣＰＵ６１は、プログラム記憶部６２Ａに記憶されたカード処理プログラムＰＧ２を読み出し、図１０に示すカード処理ルーチンを実行する。初期カード処理画面が、液晶表示部６８に表示される（Ｓ１０）。初期カード処理画面は、図１５Ａに示すように、液晶表示部６８の画面を第１の表示領域６８Ａと第２の表示領域６８Ｂとに分割した分割画面である。第１の表示領域６８Ａは、第１〜第４のメモリカード２０〜２３の種類情報ＫＤ１〜ＫＤ４を黒色で点灯状態にて表示し、上方領域に「カードを選択してください」のメッセージを黒色で表示し、右下方領域に戻しキーの表示情報ＲＫＤを紫色で点灯状態にて表示する。第２の表示領域６８Ｂは、複合機１のフレーム外観と４つの挿入口とを表す外観情報ＦＤを黒色で点灯状態にて表示し、上方領域に「カードの挿入口を選択してください」のメッセージを黒色で表示する。
【０１０１】
次に、表示情報ＲＫＤで表される戻しキーの入力があったかが判断される（Ｓ１１）。戻しキーの入力があった場合（Ｓ１１：ＹＥＳ）、処理は接続部ＲＡを介して図９に示すキー入力処理ルーチン（Ｓ４）に戻る。戻しキーの入力がない場合（Ｓ１１：ＮＯ）、ＣＰＵ６１はカード処理プログラムＰＧ２中のカード選択モードに関するプログラムを読み出し、カード選択モードが実行される（Ｓ１２）。カード選択モードの詳細は後述される。
【０１０２】
カード選択モード（Ｓ１２）の実行が終了すると、表示情報ＣＫＤ１またはＣＫＤ２で表されるカード操作キーの入力があったかが判断される（Ｓ１３）。カード操作キーの入力がない場合（Ｓ１３：ＮＯ）、処理は初期カード処理画面の表示（Ｓ１０）に戻り、戻しキーの入力がない場合（Ｓ１１：ＮＯ）、カード選択モードが再度実行される（Ｓ１２）。カード選択モード（Ｓ１２）は、カード操作キーおよび戻しキーの入力がない限り、繰り返し実行される。カード選択モード（Ｓ１２）の実行の繰り返しにより、ユーザは、異なる複数種類のメモリカードまたは挿入口を１度に選択することができる。
【０１０３】
カード操作キーの入力があった場合（Ｓ１３：ＹＥＳ）、ＣＰＵ６１はカード処理プログラムＰＧ２中のカード操作モードに関するプログラムを読み出し、カード操作モードが実行される（Ｓ１４）。カード操作モード（Ｓ１４）の実行が終了すると、カード処理ルーチンは終了し、処理は図９に示す主制御ルーチンのステップＳ１に戻る。カード操作モードの詳細は後述される。
【０１０４】
（カード選択モード）
カード選択モードは、図１１〜図１３に示すフローチャートに従って実行される。図１１はメモリカードを選択する動作を示すフローチャートであり、図１２はメモリカードの選択後にメモリカードを装着する動作を示すフローチャートであり、図１３は挿入口を選択する動作を示すフローチャートである。
【０１０５】
（１）メモリカードの選択
図１１を参照してメモリカードの選択動作を以下に説明する。先ず、メモリカードの選択操作があったかが判断される（Ｓ２０）。選択操作がない場合（Ｓ２０：ＮＯ）、処理は、接続部ＲＢを介して、図１３に示す挿入口の選択動作の処理に進む。選択操作があった場合（Ｓ２０：ＹＥＳ）、すでに挿入口に装着されたメモリカードがあるかが判断される（Ｓ２１）。第１〜第４の装着検出端子４０〜４３のいずれかがメモリカードの装着により装着検出信号を出力したときに、すでに装着されたメモリカードの種類を表す情報及び挿入口を表す情報が、ＲＡＭ６３に一時的に記憶される。従って、ＲＡＭ６３にすでに装着されたメモリカードの種類を表す情報が記憶されている場合には、ステップＳ２１において装着されたメモリカードがあると判断される。装着されたメモリカードがない場合（Ｓ２１：ＮＯ）、選択されたメモリカードの種類が、ＲＡＭ６３に一時記憶されたすでに選択されたメモリカードの種類と同じかが判断される（Ｓ２２）。同じである場合（Ｓ２２：ＹＥＳ）、ユーザが同じメモリカードを重複して選択したことになるので、拒否音が出力され（Ｓ２３）、処理はステップＳ２０に戻る。同じでない場合、またはＲＡＭ６３にすでに選択されたメモリカードの種類を表す情報が記憶されていない場合（Ｓ２２：ＮＯ）、処理は次のステップＳ２４に進む。
【０１０６】
ステップＳ２１において、すでに装着されたメモリカードがあると判断された場合（Ｓ２１：ＹＥＳ）、選択されたメモリカードの種類が、ＲＡＭ６３に記憶されたすでに装着されたメモリカードの種類と同じかが判断される（Ｓ２５）。同じである場合（Ｓ２５：ＹＥＳ）、ユーザはすでに装着されたメモリカードを再度選択したことになり、拒否音が出力される（Ｓ２３）。同じでない場合（Ｓ２５：ＮＯ）、処理はステップＳ２４に進む。
【０１０７】
図１５Ａに示す初期カード処理画面において、ユーザが、「メモリー・スティック」を選択するために、その名称を表す種類情報ＫＤ２の表示位置に接触した場合、ステップＳ２４において、「メモリー・スティック」の種類がＲＡＭ６３に一時的に記憶される。そして、選択されたメモリカードの種類情報が、黒色の点灯状態から、図８に示す選択されたメモリカードに対応する色彩で点滅状態に変化する（Ｓ２６）。この場合、図１５Ｂに示すように、種類情報ＫＤ２が「メモリー・スティック」に対応する緑色で点滅状態となり、「メモリー・スティックが選択されました」のメッセージが第１および第２の表示領域６８Ａ、６８Ｂの上方領域に表示される。続いて、図１５Ｃに示すように、第２の表示領域６８Ｂが、複合機１のフレーム外観を示す外観表示状態から、挿入口を拡大して示す拡大表示状態に自動的に切り換わる（Ｓ２７）。挿入口の拡大表示画面において、選択されたメモリカードと対応関係にある挿入口が、対応テーブル記憶部６２Ｃに記憶された対応関係に従って特定され、特定された挿入口の位置情報が、その特定された挿入口に対応する色彩で点滅表示される（Ｓ２８）。たとえば、第２のメモリカード２１である「メモリー・スティック」と対応関係にある第２の挿入口３１が特定され、第２の挿入口３１の位置情報ＰＤ２が、図８に示すように、緑色の点滅状態で表示される。また、「メモリー・スティックを挿入して下さい」のメッセージが第１および第２の表示領域６８Ａ、６８Ｂの上方領域に表示される。
【０１０８】
対応関係にある挿入口の位置情報が点滅状態である間に、戻しキーの入力があったかが判断される（Ｓ２９）。戻しキーの入力がある場合（Ｓ２９：ＹＥＳ）、選択されたメモリカードの種類情報と対応関係にある挿入口の位置情報との点滅表示が中止され、この種類情報および位置情報は黒色の点灯状態に変更される（Ｓ３０）。このステップＳ３０の実行後に、処理はステップＳ２０に戻る。戻しキーの入力がない場合（Ｓ２９：ＮＯ）、戻しキー以外のキーの入力があるかが判断される（Ｓ３１）。戻しキー以外のキー、たとえばメモリカードの種類情報または挿入口の位置情報の表示位置に対応するマトリックススイッチ６７上のスイッチ領域が操作された場合（Ｓ３１：ＹＥＳ）、処理はステップＳ２０に戻る。戻しキー以外のキーの入力がない場合（Ｓ３１：ＮＯ）、処理は接続部ＲＣを介して図１２に示すステップＳ３２に進む。戻しキーの入力または戻しキー以外のキーの入力があった場合、処理がステップＳ２０に戻ることから、ユーザは、選択したメモリカードと異なる種類のメモリカードを選択することができるようになる。
【０１０９】
たとえば、先にユーザが第２のメモリカード２１である「メモリー・スティック」を選択し、図１５Ｃに示すように、種類情報ＫＤ２と第２の挿入口３１の位置情報ＰＤ２とが緑色で点滅状態にある間に、ユーザが他の種類のメモリカードを選択した場合、この他の種類のメモリカードに関して、ステップＳ２０〜Ｓ２８が再度実行される。この結果、「メモリー・スティック」に関して種類情報ＫＤ２および位置情報ＰＤ２が緑色で点滅表示されると共に、他の種類のメモリカードに関して種類情報と対応関係にある挿入口の位置情報とが、図８に示すいずれかの色彩で点滅表示される。これにより、ユーザは、メモリカードを装着する前であっても、複数種類のメモリカードをまとめて選択することができ、迅速且つ効率的に選択操作を行うことができる。
【０１１０】
選択されたメモリカードの種類を一時的に記憶するステップＳ２４は、本発明の種類記憶部の一例である。選択されたメモリカードの種類がすでに選択されたメモリカードの種類と同じかを判断するステップＳ２２は、本発明の第１の種類選択判別部の一例である。拒否音を出力するステップＳ２３は、本発明の報知部の一例である。選択されたメモリカードの種類がすでに装着されたメモリカードの種類と同じかを判断するステップＳ２５は、本発明の第２の種類選択判別部の一例である。
【０１１１】
（２）メモリカードの装着
図１２を参照してメモリカードの装着動作を以下に説明する。ユーザが第２のメモリカード２１である「メモリー・スティック」を選択し、図１５Ｃに示すように、種類情報ＫＤ２と第２の挿入口３１の位置情報ＰＤ２とが緑色で点滅状態にある場合、「メモリー・スティックを挿入して下さい」のメッセージが表示される。ユーザは、このメッセージに従って、第２のメモリカード２１を装着することができる。この点滅表示状態において、点滅中の位置情報が表す挿入口にメモリカードが装着されたかが判断される（Ｓ３２）。装着されていない場合（Ｓ３２：ＮＯ）、点滅中の位置情報が表す挿入口以外の挿入口にメモリカードが装着されたかが判断される（Ｓ３３）。ステップＳ３２およびＳ３３は、第１〜第４の装着検出端子４０〜４３のいずれかが対応関係にあるメモリカードの装着により装着検出信号を出力したときに、メモリカードが装着されたと判断する。いずれの挿入口にもメモリカードが装着されていない場合（Ｓ３３：ＮＯ）、処理は、接続部ＲＤを介して、図１１に示すステップＳ２９に戻り、図１５Ｃに示す種類情報および位置情報の点滅表示が継続される。ステップＳ３２またはＳ３３において、メモリカードが装着されたと判断された場合（Ｓ３２、Ｓ３３：ＹＥＳ）、処理はステップＳ３４に進む。
【０１１２】
メモリカードが装着されたと判断された場合、装着されたメモリカードの種類が、第１〜第４の装着検出端子４０〜４３からの装着検出信号に従って検出され、ＲＡＭ６３に一時的に記憶される（Ｓ３４）。また、メモリカードが装着された挿入口も、第１〜第４の装着検出端子４０〜４３からの装着検出信号に従って検出され、ＲＡＭ６３に一時的に記憶される（Ｓ３５）。そして、装着されたメモリカードの種類情報と、メモリカードが装着された対応関係にある挿入口の位置情報とが、図８の「装着後の表示」の欄に示す色彩にて点灯表示される（Ｓ３６、Ｓ３７）。たとえば、ユーザが第２のメモリカード２１である「メモリー・スティック」を第２の挿入口３１に装着した場合、種類情報ＫＤ２および位置情報ＰＤ２は、図８に示す緑色の点灯状態で表示される。さらに、「カード操作キー」の表示情報ＣＫＤ１，ＣＫＤ２が表示される。メモリカードの選択および装着が完了すると、処理は図１０に示すステップＳ１３に進み、カード選択モードを保持するか、またはカード操作モードに移行するかが、ステップＳ１３において判断される。
【０１１３】
（３）装着後の他のメモリカードの選択
図１５Ｃに示すように、種類情報ＫＤ２と第２の挿入口３１の位置情報ＰＤ２とが緑色で点滅状態にある間に、「メモリー・スティックを挿入して下さい」のメッセージに従って、ユーザが第２のメモリカード２１を装着すると、種類情報ＫＤ２と位置情報ＰＤ２とが緑色で点灯状態になる。また、図１５Ｄに示すように、「メモリー・スティックを検出しました」のメッセージと、「カード操作キー」の表示情報ＣＫＤ１、ＣＫＤ２とが、第１および第２の表示領域６８Ａ、６８Ｂにそれぞれ表示される。表示情報ＣＫＤ１、ＣＫＤ２は、戻しキーの表示情報ＲＫＤと同様に、紫色で点灯表示される。
【０１１４】
第２のメモリカード２１が装着された後、図１０のステップ１３においてカード操作キーが入力されていないと判断され（Ｓ１３：ＮＯ）、ステップＳ１０およびステップＳ１１（判断「ＮＯ」）を介して、カード選択モードが実行される状態になる（Ｓ１２）。この状態において、ユーザが、新たなメモリカードを選択するために、その新たなメモリカードの種類情報の表示位置に接触した場合、図１１に示すステップＳ２０において、新たなメモリカードが選択されたかが判断される。この結果、メモリカードが選択されたと判断され（Ｓ２０：ＹＥＳ）、新たなメモリカードに関して、ステップＳ２１〜Ｓ２８が実行される。
【０１１５】
たとえば、ユーザが、図１５Ｄに示すように、第１のメモリカード２０である「ＣＦカード」の種類情報ＫＤ１の表示位置に接触すると、種類情報ＫＤ１が、図８に示す黒色の点灯表示から赤色の点滅表示に変化し（Ｓ２６）、挿入口の位置情報ＰＤ２は拡大された状態を維持して表示される（Ｓ２７）。そして、図１５Ｅに示すように、種類情報ＫＤ２および位置情報ＰＤ２が緑色で点灯表示されている状態に加えて、種類情報ＫＤ１および位置情報ＰＤ１が赤色で点滅表示する（Ｓ２８）。このとき、「ＣＦカードを挿入して下さい」のメッセージが第１および第２の表示領域６８Ａ、６８Ｂに表示される。ユーザは、図１５Ｄに示す表示状態から、第２のメモリカード２１である「メモリー・スティック」が装着済みであることと、第１のメモリカード２０である「ＣＦカード」が選択済みでありかつ未装着であることを容易に認識することができる。
【０１１６】
（４）挿入口の選択
図１３を参照して挿入口の選択動作を説明する。図１５Ａに示す初期カード処理画面の第２の表示領域６８Ｂにおいて、ユーザがいずれかの挿入口の配置位置を表す外観情報ＦＤの表示位置に接触することにより、ステップ２０においてメモリカードが選択されていないと判断されるので（Ｓ２０：ＮＯ）、挿入口の周辺が選択されたか否かが判断される（Ｓ３８）。挿入口の周辺とは、例えば、図６Ａに示す第１〜４の挿入口の座標位置により表示される領域を全てあわせた領域である。選択されていない場合（Ｓ３８：ＮＯ）、メモリカードが装着されたかが判断される（Ｓ３９）。装着されていない場合（Ｓ３９：ＮＯ）、ユーザは何も操作をしていないことになるから、処理は接続部ＲＥを介して図１０に示すステップＳ１０に戻り、初期カード処理画面の表示が維持される。メモリカードが装着された場合（Ｓ３９：ＹＥＳ）、処理は図１２に示すステップＳ３４に進み、前述したようにメモリカードおよび挿入口の表示が所定の色彩の点灯状態に変化する（Ｓ３６、Ｓ３７）。
【０１１７】
たとえば、ユーザが、初期カード処理画面の第２の表示領域６８Ｂにおいて、第１の挿入口３０の配置位置を表す外観情報の表示位置に接触した場合、ステップＳ３８において、第１の挿入口３０と対応関係にある第１のメモリカード２０である「ＣＦカード」が選択されたと判断される（Ｓ３８：ＹＥＳ）。この結果、図１５Ｆに示すように、「ＣＦカードが選択されました」のメッセージが第１および第２の表示領域６８Ａ、６８Ｂに表示される。続いて、第２の表示領域６８Ｂにおいて、挿入口の表示が拡大されて表示される（Ｓ４０）。
【０１１８】
挿入口の拡大表示状態において、戻しキーの入力があったかが判断される（Ｓ４１）。戻しキーの入力があった場合（Ｓ４１：ＹＥＳ）、処理は図１１に示すステップＳ２０に戻り、メモリカードの選択があるかが判断される。戻しキーの入力がない場合（Ｓ４１：ＮＯ）、挿入口の拡大表示状態において、ユーザが所望の挿入口の位置情報の表示位置に接触することにより、挿入口が選択されたかが判断される（Ｓ４２）。選択されていない場合（Ｓ４２：ＮＯ）、処理はステップＳ４１に戻る。選択された場合（Ｓ４２：ＹＥＳ）、メモリカードが装着された挿入口があるかが判断される（Ｓ４３）。詳細には、ＲＡＭ６３に装着済みの挿入口の情報が記憶されているかが判断される。装着された挿入口がある場合（Ｓ４３：ＹＥＳ）、選択された挿入口がＲＡＭ６３に記憶されたすでに装着された挿入口と同じかが判断される（Ｓ４４）。同じである場合（Ｓ４４：ＹＥＳ）、ユーザがすでに装着された挿入口を誤って選択したことになるから、拒否音が出力される（Ｓ４５）。装着された挿入口がない場合（Ｓ４３：ＮＯ）、選択された挿入口がＲＡＭ６３に記憶されたすでに選択された挿入口と同じかが判断される（Ｓ４６）。同じである場合（Ｓ４６：ＹＥＳ）、ユーザはすでに選択された挿入口を誤って再度選択したことになるから、拒否音が出力される（Ｓ４５）。
【０１１９】
ステップＳ４４またはＳ４６において、同じでないと判断された場合（Ｓ４４、Ｓ４６：ＮＯ）、選択された挿入口がＲＡＭ６３に一時記憶される（Ｓ４７）。続いて、選択された挿入口の位置情報および対応関係にあるメモリカードの種類情報が、所定の色彩にて点滅表示される（Ｓ４８、Ｓ４９）。たとえば、ユーザが、第１の挿入口３０の位置情報ＰＤ１の表示位置に接触すると、図１５Ｇに示すように、位置情報ＰＤ１が、図８に示す黒色の点灯状態から赤色の点滅状態に変化する。そして、図１５Ｈに示すように、第１の挿入口３０と対応関係にある「ＣＦカード」の種類情報ＫＤ１が、黒色の点灯状態から赤色の点滅状態に変化する。この場合、「ＣＦカードを挿入して下さい」のメッセージが表示される。ユーザは、点滅表示から、挿入口と対応関係にあるメモリカードを容易に知ることができ、メモリカードの装着が容易かつ確実となる。
【０１２０】
選択された挿入口をＲＡＭ６３に一時的に記憶するステップＳ４７は、本発明の装着記憶部の一例である。選択された挿入口がすでに選択された挿入口と同じかを判断するステップＳ４６は、本発明の第１の装着選択判別部の一例である。拒否音を出力するステップＳ４５は、本発明の報知部の一例である。選択された挿入口がすでに装着された挿入口と同じかを判断するステップＳ４４は、本発明の第２の装着選択判別部の一例である。
【０１２１】
選択された挿入口が点滅表示されると、処理は接続部ＲＤを介して図１１に示すステップＳ２９に進み、戻しキーの入力があったかが判断され、戻しキーの入力がなければ（Ｓ２９：ＮＯ）、戻しキー以外のキーの入力があったかが判断される（Ｓ３１）。ユーザが、新たな挿入口を選択するために、新たな挿入口の位置情報の表示位置に対応するマトリックススイッチ６７上のスイッチ領域を操作した場合、ステップＳ３１において、戻しキー以外のキー入力があったと判断される（Ｓ３１：ＹＥＳ）。その後、処理は、図１１に示すステップＳ２０に戻り、接続部ＲＢを介して図１３に示すステップＳ３８に進む。この結果、新たな挿入口の選択動作が、上述のステップＳ３８〜Ｓ４９の実行により実行される。異なる挿入口の選択が繰り返し実行されることから、先に選択された第１の挿入口３０の位置情報ＰＤ１および対応関係にある「ＣＦカード」の種類情報ＫＤ１が赤色で点滅表示されると共に、新たに選択された挿入口の位置情報および対応関係にある種類情報が、図８に示すいずれかの色彩で点滅表示される。これにより、ユーザは、メモリカードを装着する前であっても、複数種類の挿入口をまとめて選択することができ、迅速且つ効率的に挿入口の選択操作を行うことができる。
【０１２２】
（５）装着後の挿入口の選択
選択された挿入口の位置情報ＰＤ１および対応関係にあるメモリカードの種類情報ＫＤ１が、図１５Ｈに示すように、赤色で点滅表示されている間（Ｓ４８、Ｓ４９）に、ユーザがいずれのキー入力もしなければ、処理は、図１３に示す接続部ＲＤを介して図１１に示すステップＳ２９およびＳ３１に進む。これらのステップＳ２９、Ｓ３１では、キー入力がないと判断される（Ｓ２９、Ｓ３１：ＮＯ）。その後、処理は、接続部ＲＣを介して図１２に示すステップＳ３２に進む。
【０１２３】
ユーザが、図１５Ｈに示す「ＣＦカードを挿入して下さい」のメッセージに従って、「ＣＦカード」である第１のメモリカード２０を第１の挿入口３０に装着すると、ステップＳ３２〜Ｓ３７が順次実行される。すなわち、装着されたメモリカードの種類が、検出されてＲＡＭ６３に一時的に記憶され（Ｓ３４）、メモリカードが装着された挿入口が、検出されてＲＡＭ６３に一時的に記憶される（Ｓ３５）。そして、図１５Ｉに示すように、「ＣＦカードが検出されました」のメッセージと、「カード操作キー」の表示情報ＣＫ１、ＣＫ２が表示されると共に、位置情報ＰＤ１および種類情報ＫＤ１が、赤色の点滅表示から赤色の点灯表示に変化する（Ｓ３６、Ｓ３７）。カード選択モードが一旦終了した後、処理は図１０に示すステップＳ１３に進む。カード操作キーの入力および戻しキーの入力がなければ（Ｓ１３、Ｓ１０：ＮＯ）、初期カード処理画面が表示された状態（Ｓ１０）で、再度、カード選択モードが実行される（Ｓ１２）。ここで、ステップＳ１３はカード操作キーの入力がないと判断したときカード選択モードを再度実行させることから、ステップＳ１３およびこのステップを実行するＣＰＵ６１は、本発明の媒体選択モードの設定を保持するモード設定制御部の一例である。
【０１２４】
第１の挿入口３０以外の他の挿入口を選択するために、初期カード処理画面の第２の表示領域６８Ｂにおいて、ユーザが、挿入口の配置位置を表す外観情報ＦＤの表示位置に接触した場合、カード選択モードの再度の実行により、処理は図１１に示すステップＳ２０に進み、メモリカードが選択されていないと判断され（Ｓ２０：ＮＯ）、処理は接続部ＲＢを介して図１３に示すＳ３８に進む。挿入口の周辺が選択されたと判断され（Ｓ３８：ＹＥＳ）、挿入口が拡大して表示される（Ｓ４０）。挿入口の拡大表示画面では、すでに第１のメモリカード２０が装着されていることから、カード操作キーが表示されると共に、位置情報ＰＤ１および種類情報ＫＤ１が赤色で点灯表示されている。この拡大表示状態において、ユーザが、他の挿入口として第４の挿入口３３を選択するために、位置情報ＰＤ４の表示位置に接触した場合、ステップＳ４１〜Ｓ４６の処理が実行された後に、新たに選択された第４の挿入口３３がＲＡＭ６３に一時的に記憶される（Ｓ４７）。続いて図１５Ｊに示すように、第４の挿入口３３の位置情報ＰＤ４と、対応関係にある第４のメモリカード２３である「ＳＤカード」の種類情報ＫＤ４とが、黒色の点灯表示から図８に示す黄色の点滅表示に変化する（Ｓ４８、Ｓ４９）。この点滅表示状態において、「ＳＤカードが選択されました」のメッセージが表示される。その後、処理は、前述の挿入口の選択処理と同様に、接続部ＲＤを介して図１１に示すステップＳ２９に進む。
【０１２５】
（カード操作モード）
図１４を参照してカード操作モードについて説明する。カード選択モードにおいて、メモリカードが装着された場合、表示制御部７０は、液晶表示部５にカード操作キーの表示情報ＣＫＤ１、ＣＫＤ２を表示させる。ユーザが、このカード操作キーの表示情報に接触した場合、図１０に示すステップＳ１３において、カード操作キーの入力が判断され（Ｓ１３：ＹＥＳ）、カード操作モードが実行される（Ｓ１４）。
【０１２６】
図１４において、複数のメモリカードの装着を検出したかが判断される（Ｓ５０）。詳細には、ＲＡＭ６３に装着済みのメモリカードの種類を表す情報が複数記憶されているかが判断される。複数のメモリカードが装着されている場合（Ｓ５０：ＹＥＳ）、カード指定画面が液晶表示部５に表示される（Ｓ５１）。このカード指定画面は、「メモリカードを指定して下さい」のメッセージを表示し、装着されているメモリカードが装着されていないメモリカードと区別できるように、４種類のメモリカードに関して名称を表す名称情報とその形状を表す形象情報とからなる表示情報ＡＤ１〜ＡＤ４を表示する。たとえば、本実施形態において第１および第２のメモリカード２０、２１が装着されている場合には、図１６Ａに示すように、第１のメモリカード２０である「ＣＦカード」に関する表示情報ＡＤ１が赤色で点灯表示され、第２のメモリカード２１である「メモリー・スティック」に関する表示情報ＡＤ２が緑色で点灯表示される。装着されていない第３および第４のメモリカード２２、２３に関する表示情報ＡＤ３、ＡＤ４は、黒色で点灯表示される。
【０１２７】
ユーザが、装着されている複数のメモリカードのいずれかの表示情報の表示位置に接触することにより、１つのメモリカードを指定したかが判断される（Ｓ５２）。指定していなければ（Ｓ５２：ＮＯ）、ステップＳ５１が継続して実行される。ステップＳ５０において複数のメモリカードの装着が検出されなかった場合（Ｓ５０：ＮＯ）、およびステップＳ５２において１つのメモリカードが選択された場合（Ｓ５２：ＹＥＳ）、動作モード選択画面が液晶表示部５に表示される（Ｓ５３）。本実施形態では、前述した種類情報に関連して形成されるスイッチ領域と同様に、装着されたメモリカードの表示情報ＡＤ１、ＡＤ２の表示位置を表す座標位置に従ってマトリックススイッチ６７上にユーザの操作可能なスイッチ領域が形成される。この表示情報ＡＤ１、ＡＤ２に関連して形成されるスイッチ領域が、本発明の媒体指定部の一例である。
【０１２８】
動作モード選択画面は、装着された１つのメモリカードまたは指定された１つのメモリカードについて、カード操作動作である印刷処理動作と表示処理動作とのいずれかの動作モードを選択するようにユーザに知らせる液晶表示部６８の表示画面である。この動作モード選択画面は、図１６Ｂに示すように、カード操作処理の対象となるメモリカードの名称と「動作モードを選択して下さい」のメッセージとを表示すると共に、プリンタ部２による印刷処理を選択する選択領域を表す表示情報ＰＴＤと、液晶表示部６８による表示処理を選択する選択領域を表す表示情報ＤＰＤとを表示する。図１６Ｂに示す画面は、ユーザが「ＣＦカード」を指定した場合に、カード操作処理の対象となるメモリカードとして「ＣＦカード」の名称を液晶表示部６８に表示している画面である。これらの表示情報ＰＴＤ、ＤＰＤについても、前述した種類情報に関して形成されるスイッチ領域と同様に、マトリックススイッチ６７上にユーザの操作可能なスイッチ領域が形成される。
【０１２９】
ユーザが表示情報ＰＴＤ、ＤＰＤのいずれかの表示位置に接触することにより、動作モードを選択したかが判断される（Ｓ５４）。表示情報ＰＴＤの表示位置が接触されれば、印刷処理が実行され（Ｓ５５）、表示情報ＤＰＤの表示位置が接触されれば、表示処理が実行される（Ｓ５６）。その後、未指定のメモリカードがあるかが判断される（Ｓ５７）。未指定のメモリカードがあれば（Ｓ５７：ＹＥＳ）、処理はステップＳ５１に戻り、カード指定画面で未指定の装着されているメモリカードが対応する色彩で点灯表示される。前述したように、ユーザは所望のメモリカードの表示情報の表示位置を接触することによりメモリカードを指定することができ、この指定したメモリカードについて印刷処理または表示処理を選択することができる。本実施形態のカード操作モードは、メモリカードに記憶された情報に対して印刷または表示という情報処理を施すモードであり、本発明の情報処理モードの一例である。
【０１３０】
一方、ステップ５７において、未指定のメモリカードがない場合（Ｓ５７：ＮＯ）、図１４に示すカード操作モードの実行が終了する（図１０、Ｓ１４）。このようにして、図１０に示すカード処理ルーチンは終了し、処理は図９に示すステップＳ１に戻り、初期画面が液晶表示部６８に表示される。
【０１３１】
[第２の実施形態]
次に、本発明の情報処理装置を複合機に適用した第２の実施形態について、添付図面を参照して説明する。第２の実施形態は、挿入口の配置状態と、メモリカードと挿入口との対応関係とにおいて第１の実施形態と相違し、他の構成は第１の実施形態と同じであるので、同じ構成については同じ番号または記号を付して説明する。
【０１３２】
（挿入口の配置状態）
図１７は、複合機１のフレームに設けられた装着平面１１を拡大して示している。４種類のメモリカード２０〜２３を装着するために、４つの挿入口１３０〜１３３が装着平面１１にまとめて配置されている。最も幅の広い第１の挿入口１３０は第１のメモリカード２０を装着するために設けられ、２番目に幅の広い第４の挿入口１３３は第３のメモリカード２２および第４のメモリカード２３を装着するために第１の挿入口１３０の直ぐ下方に設けられ、３番目に幅の広い第３の挿入口１３２は第３のメモリカード２２を装着するために第４の挿入口１３３の直ぐ下方に設けられている。これらの挿入口１３０、１３３、１３２は近接して配置されている。最も幅の狭い第２の挿入口１３１は第２のメモリカード２１を装着するために設けられ、他の挿入口１３０、１３３、１３２から離れて配置されている。これらの挿入口１３０〜１３３は、本発明の装着部の一例である。
【０１３３】
種類情報ＫＤ１〜ＫＤ４および位置情報ＰＤ１１〜ＰＤ１４の表示位置に対応するマトリックススイッチ６７上の座標位置は、第１の実施形態の座標記憶部６２Ｂと同様に、ＲＯＭ６２中の座標記憶部に記憶されている。
【０１３４】
（メモリカードと挿入口との対応関係）
第１の実施形態では、メモリカードと挿入口との対応関係は１対１の関係であったが、第２の実施形態では、メモリカードと挿入口との対応関係は１対複数の関係にある。詳細には、第１、第２および第４のメモリカード２０、２１、２３は第１、第２および第４の挿入口１３０、１３１、１３３とそれぞれ１対１の対応関係にあり、これらのメモリカード２０、２１、２３の各々が装着可能な挿入口は１つに限られている。一方、第３のメモリカード２２は、第３の挿入口１３２および第４の挿入口１３３と対応関係にある。この結果、第３のメモリカード２２は、第３の挿入口１３２と第４の挿入口１３３とのいずれにも装着可能である。
【０１３５】
メモリカードと挿入口との対応関係は、液晶表示部６８の表示画面上またはマトリックススイッチ６７上の領域において、メモリカードの座標位置と挿入口の座標位置とを対応付けするものである。対応関係は、第１の実施形態の対応テーブル記憶部６２Ｃと同様に、ＲＯＭ６２中の対応テーブル記憶部に記憶されている。図１８Ａは、メモリカードが選択された場合のメモリカードの座標位置と挿入口の座標位置との対応関係を示している。たとえば、第１のメモリカード２０と第１の挿入口１３０との対応関係は、メモリカードの座標位置「（ｘ９，ｙ９）〜（ｘ１０，ｙ１０）」と挿入口の座標位置「（ｘ１００，ｙ１００）〜（ｘ１０１，ｙ１０１）」とを対応付けるもので、１対１の対応関係である。しかし、第３のメモリカード２２と第３の挿入口１３２および第４の挿入口１３３との対応関係は、メモリカードの座標位置「（ｘ１３，ｙ１３）〜（ｘ１４，ｙ１４）」と、挿入口の座標位置「（ｘ１０５，ｙ１０５）〜（ｘ１０６，ｙ１０６）」および挿入口の座標位置「（ｘ１０７，ｙ１０７）〜（ｘ１０８，ｙ１０８）」とを対応付けるものである。
【０１３６】
図１８Ｂは、挿入口が選択された場合のメモリカードの座標位置と挿入口の座標位置との対応関係を示している。たとえば、第１の挿入口１３０と第１のメモリカード２０との対応関係は、挿入口の座標位置「（ｘ１００，ｙ１００）〜（ｘ１０１，ｙ１０１）」とメモリカードの座標位置「（ｘ９，ｙ９）〜（ｘ１０，ｙ１０）」とを対応付けるもので、１対１の対応関係である。しかし、第４の挿入口１３３と第３のメモリカード２２および第４のメモリカード２３との対応関係は、挿入口の座標位置「（ｘ１０７，ｙ１０７）〜（ｘ１０８，ｙ１０８）」と、メモリカードの座標位置「（ｘ１３，ｙ１３）〜（ｘ１４，ｙ１４）」およびメモリカードの座標位置「（ｘ１５，ｙ１５）〜（ｘ１６，ｙ１６）」とを対応付けるものである。
【０１３７】
図１９Ａは、液晶表示部６８の第２の表示領域６８Ｂが挿入口の配置位置を拡大して表示する拡大表示状態において、ユーザが「ｘＤカード」である第３のメモリカード２２を選択した場合の表示画面を示している。図１９Ｂは、拡大表示状態において、ユーザが第４の挿入口１３３を選択した場合の表示画面を示している。第１〜第４のメモリカード２０〜２３の種類情報ＫＤ１〜ＫＤ４は、第１の実施形態と同様に、第１の表示領域６８Ａに表示される。しかし、第１〜第４の挿入口１３０〜１３３の配置位置は第１の実施形態と異なることから、これらの挿入口の位置情報ＰＤ１１〜ＰＤ１４も第１の実施形態と異なる。
【０１３８】
ユーザが第３のメモリカード２２である「ｘＤカード」の種類情報ＫＤ３の表示位置に接触した場合、図１８Ａに示すように、種類情報ＫＤ３が図８に示すように黒色の点灯表示から青色の点滅表示に変化する。さらに、図１９Ａに示すように対応関係がある第３の挿入口１３２の位置情報ＰＤ１３および第４の挿入口１３３の位置情報ＰＤ１４が、図８に示すように黒色の点灯表示から青色の点滅表示および黄色の点滅表示に変化する。このとき、種類情報ＫＤ３と位置情報ＰＤ１３およびＰＤ１４の対応関係が明確になるように、対応関係のある情報ＫＤ３、ＰＤ１３、ＰＤ１４を同じ色で表示してもよい。このように、同じ色で表示すると、ユーザは、メモリカードの種類と挿入口の位置関係を一目で確認することができる。ユーザは、位置情報の点滅表示を見て、第３の挿入口１３２または第４の挿入口１３３のいずれかに「ｘＤカード」である第３のメモリカード２２を装着することができる。
【０１３９】
ユーザが第４の挿入口１３２の位置情報ＰＤ１３の表示位置に接触した場合、図１８Ｂに示すように、位置情報ＰＤ１４が図８に示すように黒色の点灯表示から黄色の点滅表示に変化し、図１９Ｂに示すように対応関係がある第３のメモリカード２２の種類情報ＫＤ３および第４のメモリカード２３の種類情報ＫＤ４が、図８に示すように黒色の点灯表示から青色の点滅表示および黄色の点滅表示に変化する。このとき、位置情報ＰＤ１３と種類情報ＫＤ３およびＫＤ４の対応関係が明確になるように、対応関係のある情報ＰＤ１３、ＫＤ３、ＫＤ４を同じ色で表示してもよい。このように、同じ色で表示すると、ユーザは、メモリカードの種類と挿入口の位置関係を一目で確認することができる。ユーザは、種類情報の点滅表示を見て、第３のメモリカード２２または第４のメモリカード２３のいずれかを第４の挿入口１３３に装着することができる。
【０１４０】
[変形例]
本発明は上記実施形態に限定されることはなく、発明の趣旨の範囲内で様々な変形例が考えられる。以下に、変形例の一例について説明する。
【０１４１】
（１）本実施形態では、外部記憶媒体の一例として、コンパクトフラッシュ（登録商標）などの小型サイズのメモリカードが使用されている。この構成に代えて、ＣＤ−ＲＯＭやＰＣカードなどの大型サイズの記憶媒体が使用されてもよい。
（２）本実施形態では、カード選択モードにおいて液晶表示部６８の表示画面が第１および第２の表示領域の２つの領域に分割される構成である。この構成に代えて、第１および第２の表示領域以外に、メモリカードの装着方法の案内情報や各種のキーの表示情報を表示する第３の表示領域が液晶表示部６８の表示画面に形成されてもよい。
（３）本実施形態では、使用可能な４種類のメモリカードの全てが、液晶表示部６８の表示画面に一度に表示されている。この構成に代えて、ユーザが、４種類のメモリカードの中から表示画像をスクロールさせて１つの所望のメモリカードを選択し、この選択されたメモリカードの種類情報と、対応関係にある挿入口の位置情報とが液晶表示部６８の第１および第２の表示領域に表示され、選択されていない他のメモリカードの種類情報は液晶表示部６８に表示されないように構成してもよい。
【図面の簡単な説明】
【０１４２】
【図１】第１の実施形態の複合機１の外観構成を示す斜視図である。
【図２】挿入口が配置された装着平面１１およびメモリカード２０〜２３を示す拡大図である。
【図３】複合機１の電気的構成を示すブロック図である。
【図４】外観表示状態における液晶表示部６８の表示画面を示す拡大図である。
【図５】拡大表示状態における液晶表示部６８の表示画面を示す拡大図である。
【図６Ａ】外観表示状態の表示画像とマトリックススイッチ６７上の座標位置との関係を示す図である。
【図６Ｂ】拡大表示状態の表示画像とマトリックススイッチ６７上の座標位置との関係を示す図である。
【図７Ａ】外観表示状態におけるメモリカードと挿入口との対応関係を示す図である。
【図７Ｂ】拡大表示状態におけるメモリカードと挿入口との対応関係を示す図である。
【図８】メモリカードまたは挿入口の選択前および選択後、メモリカードの装着後における表示画像の表示状態の内容を示す図である。
【図９】主制御ルーチンの処理を示すフローチャートである。
【図１０】カード処理ルーチンの処理を示すフローチャートである。
【図１１】カード選択モードにおけるメモリカードの選択処理を示すフローチャートである。
【図１２】カード選択モードにおけるメモリカードの装着処理を示すフローチャートである。
【図１３】カート選択モードにおける挿入口の選択処理を示すフローチャートである。
【図１４】カード操作モードの処理を示すフローチャートである。
【図１５Ａ】液晶表示部６８の初期カード処理画面を示す図である。
【図１５Ｂ】第２のメモリカード２１が選択されたときに種類情報ＫＤ２の点滅が開始された状態を表示する液晶表示部６８の表示画面を示す図である。
【図１５Ｃ】拡大表示状態において種類情報ＫＤ２と位置情報ＰＤ２とが点滅している状態を表示する液晶表示部６８の表示画面を示す図である。
【図１５Ｄ】第２のメモリカード２１が装着された後に第１のメモリカード２０が選択されたときに種類情報ＫＤ１の点滅が開始された状態を表示する液晶表示部６８の表示画面を示す図である。
【図１５Ｅ】第２のメモリカード２１が装着された後に第１のメモリカード２０が選択されたときに種類情報ＫＤ１と位置情報ＰＤ１とが点滅している状態を表示する液晶表示部６８の表示画面を示す図である。
【図１５Ｆ】外観表示状態において挿入口の配置位置周辺が選択された状態を表示する液晶表示部６８の表示画面を示す図である。
【図１５Ｇ】拡大表示状態において第１の挿入口３０が選択されたときに位置情報ＰＤ１の点滅が開始された状態を表示する液晶表示部６８の表示画面を示す図である。
【図１５Ｈ】位置情報ＰＤ１と種類情報ＫＤ１とが点滅している状態を表示する液晶表示部６８の表示画面を示す図である。
【図１５Ｉ】第１のメモリカード２０が装着されたときに位置情報ＰＤ１および種類情報ＫＤ１が点灯表示に変化した状態を表示する液晶表示部６８の表示画面を示す図である。
【図１５Ｊ】第１のメモリカード２０が装着された後に第４の挿入口３３が選択されたときに位置情報ＰＤ４と種類情報ＫＤ４とが点滅している状態を表示する液晶表示部６８の表示画面を示す図である。
【図１６Ａ】第１および第２のメモリカード２０、２１が装着されたときに表示情報ＡＤ１、ＡＤ２が点滅している状態を表示する液晶表示部６８のカード指定画面を示す図である。
【図１６Ｂ】第１のメモリカード２０が指定されたときに表示情報ＰＴＤ、ＤＰＤを表示する液晶表示部６８の動作モード選択画面を示す図である。
【図１７】第２の実施形態において挿入口が配置された装着平面１１およびメモリカード２０〜２３を示す拡大図である。
【図１８Ａ】メモリカードが選択された場合におけるメモリカードと挿入口との対応関係を示す図である。
【図１８Ｂ】挿入口が選択された場合におけるメモリカードと挿入口との対応関係を示す図である。
【図１９Ａ】第３のメモリカード２２が選択されたときに、種類情報ＫＤ３と位置情報ＰＤ１３、ＰＤ１４とが点滅している状態を表示する液晶表示部６８の表示画面を示す図である。
【図１９Ｂ】第４の挿入口１３３が選択されたときに、位置情報ＰＤ１４と種類情報ＫＤ３、ＫＤ４とが点滅している状態を表示する液晶表示部６８の表示画面を示す図である。
【符号の説明】
【０１４３】
１    複合機（情報処理装置の一例）
２０〜２３    第１〜第４のメモリカード（外部記憶媒体の一例）
３０〜３３    第１〜第４の挿入口（装着部の一例）
６２Ｃ    対応テーブル記憶部（対応記憶部の一例）
６７    マトリックススイッチ（媒体選択部の一例）
６８    液晶表示部（表示部の一例）
６８Ａ    第１の表示領域
６８Ｂ    第２の表示領域
ＫＤ１〜ＫＤ４    種類情報
ＰＤ１〜ＰＤ４    位置情報
６９    表示制御部（表示制御部の一例）
【図１】
2009134512.tif 000003
【図２】
2009134512.tif 000004
【図３】
2009134512.tif 000005
【図４】
2009134512.tif 000006
【図５】
2009134512.tif 000007
【図６Ａ】
2009134512.tif 000008
【図６Ｂ】
2009134512.tif 000009
【図７Ａ】
2009134512.tif 000010
【図７Ｂ】
2009134512.tif 000011
【図８】
2009134512.tif 000012
【図９】
2009134512.tif 000013
【図１０】
2009134512.tif 000014
【図１１】
2009134512.tif 000015
【図１２】
2009134512.tif 000016
【図１３】
2009134512.tif 000017
【図１４】
2009134512.tif 000018
【図１５Ａ】
2009134512.tif 000019
【図１５Ｂ】
2009134512.tif 000020
【図１５Ｃ】
2009134512.tif 000021
【図１５Ｄ】
2009134512.tif 000022
【図１５Ｅ】
2009134512.tif 000023
【図１５Ｆ】
2009134512.tif 000024
【図１５Ｇ】
2009134512.tif 000025
【図１５Ｈ】
2009134512.tif 000026
【図１５Ｉ】
2009134512.tif 000027
【図１５Ｊ】
2009134512.tif 000028
【図１６Ａ】
2009134512.tif 000029
【図１６Ｂ】
2009134512.tif 000030
【図１７】
2009134512.tif 000031
【図１８Ａ】
2009134512.tif 000032
【図１８Ｂ】
2009134512.tif 000033
【図１９Ａ】
2009134512.tif 000034
【図１９Ｂ】
2009134512.tif 000035